(57)【要約】  Ａｃｋ／Ｎａｃｋのフィードバック情報等の情報を効率的に送信する端末装置、基地局装置、無線通信システム及び端末装置制御方法を提供する。ＰＤＳＣＨ受信処理部（１３）は、基地局装置から無線信号を受信する。ＡＣＫ／ＮＡＣＫ生成部（１４）は、ＰＤＳＣＨ受信処理部（１３）による無線信号の受信結果を複数分通知する受信応答を生成する。ＰＵＣＣＨ生成部（１６）は、受信応答を含む異なる複数の種類の信号を同じタイミングで送信する場合と１つの種類の信号を送信する場合とで、信号の送信に用いる無線リソースの大きさ又は位置を異ならせる。
2018198351.tif 000002
【特許請求の範囲】
【請求項１】
基地局装置から無線信号を受信する受信部と、
前記受信部による前記無線信号の受信結果を複数分通知する受信応答を生成する応答信号生成部と、
前記受信応答を含む異なる複数の種類の信号を同じタイミングで送信する場合と１つの種類の信号を送信する場合とで、信号の送信に用いる無線リソースの大きさ又は位置を異ならせる送信部と
を備えたことを特徴とする端末装置。
【請求項２】
特定の信号を前記基地局装置へ送信するための無線リソース割当要求を生成する無線リソース割当要求生成部をさらに備え、
前記送信部は、前記受信応答及び前記無線リソース割当要求を同じタイミングで送信する場合と前記無線リソース割当要求を送信せずに前記受信応答を送信する場合とで、前記受信応答の送信に用いる無線リソースの大きさ又は位置を異ならせる
ことを特徴とする請求項１に記載の端末装置。
【請求項３】
前記送信部は、前記受信応答及び前記無線リソース割当要求を同じタイミングで送信する場合、前記受信応答及び前記無線リソース割当要求の送信に割り当てられた無線リソースの一部分を使用して前記受信応答及び前記無線リソース割当要求を送信することを特徴とする請求項２に記載の端末装置。
【請求項４】
前記送信部は、前記受信応答に割り当てられた無線リソースの一部を送信しないことで前記無線リソース割当要求の発生を通知することを特徴とする請求項２又は３に記載の端末装置。
【請求項５】
前記送信部は、前記無線リソース割当要求に割り当てられた無線リソースを用いて前記受信応答の一部を送信することを特徴とする請求項４に記載の端末装置。
【請求項６】
前記送信部は、前記無線リソース割当要求に割り当てられた無線リソースを用いて前記無線リソース割当要求を送信し、且つ、前記受信応答に割り当てられた無線リソースの一部を用いて前記受信応答を送信することを特徴とする請求項２又は３に記載の端末装置。
【請求項７】
前記受信部は、所定サイズのデータを有する複数の第１グループを含む前記無線信号を受信し、
前記応答信号生成部は、前記第１グループを結合した第２グループ毎に受信応答を生成する
ことを特徴とする請求項２又は３に記載の端末装置。
【請求項８】
前記送信部は、前記無線リソース割当要求の種別に応じて、前記受信応答の送信に用いる無線リソースの大きさ又は位置を異ならせることを特徴とする請求項２又は３に記載の端末装置。
【請求項９】
前記送信部は、前記無線リソース割当要求の種別毎に送信電力密度を調整するパラメータを有し、前記無線リソース割当要求の種別に応じて前記無線リソース割当要求及び前記受信応答の送信時に前記パラメータを変更することを特徴とする請求項２又は３に記載の端末装置。
【請求項１０】
基地局装置から無線信号を受信する受信部、前記受信部による前記無線信号の受信結果を複数分通知する受信応答を生成する応答信号生成部、及び、前記受信応答を含む異なる複数の種類の信号を同じタイミングで送信する場合と１つの種類の信号を送信する場合とで、信号の送信に用いる無線リソースの大きさ又は位置を異ならせる送信部を有する端末装置から送信された送信信号を受信する基地局受信部と、
異なる複数の種類の信号が同じタイミングで送信された場合、前記基地局受信部により受信された前記送信信号で使用された無線リソースを基に、前記受信応答を取得する取得部と
を備えたことを特徴とする基地局装置。
【請求項１１】
端末装置及び基地局装置を有する無線通信システムであって、
前記端末装置は、
前記基地局装置から無線信号を受信する受信部と、
前記受信部による前記無線信号の受信結果を複数分通知する受信応答を生成する応答信号生成部と、
前記受信応答を含む異なる複数の種類の信号を同じタイミングで送信する場合と１つの種類の信号を送信する場合とで、信号の送信に用いる無線リソースの大きさ又は位置を異ならせる送信部とを備え、
前記基地局装置は、
前記送信部から送信された送信信号を受信する基地局受信部と、
異なる複数の種類の信号が同じタイミングで前記送信部から送信された場合、前記基地局受信部により受信された前記送信信号で使用された前記無線リソースの大きさ又は位置を基に、前記受信応答を取得する取得部とを備えた
ことを特徴とする無線通信システム。
【請求項１２】
基地局装置から無線信号を受信し、
前記無線信号の受信結果を複数分通知する受信応答を生成し、
特定の信号を前記基地局装置へ送信するための無線リソース割当要求を生成し、
前記受信応答を含む異なる複数の種類の信号を同じタイミングで送信する場合と１つの種類の信号を送信する場合とで、信号の送信に用いる無線リソースの大きさ又は位置を異ならせる
ことを特徴とする端末装置制御方法。
【発明の詳細な説明】
【技術分野】
【０００１】
本発明は、端末装置、基地局装置、無線通信システム及び端末装置制御方法に関する。
【背景技術】
【０００２】
現在のネットワークは、スマートフォンやフューチャーホンなどのモバイル端末のトラフィックがネットワークのリソースの大半を占めている。また、モバイル端末が使うトラフィックは、今後も拡大していく傾向にある。【０００３】
一方で、例えば、交通システム、スマートメータ、装置等の監視システムといったＩｏＴ（Internet  of  a  things）サービスの展開にあわせて、多様な要求条件を持つサービスに対応することが求められている。そのため、例えば、５Ｇ（Generation）（第５世代移動体通信）といった次世代の通信規格では、４Ｇ（第４世代移動体通信）の標準技術に加えて、さらなる高データレート化、大容量化、低遅延化を実現する技術が求められる。なお、次世代通信規格については、３ＧＰＰ（3rd  Generation  Partnership  Project）の作業部会で技術検討が進められている。３ＧＰＰの作業部会には、例えば、ＴＳＧ（Technical  Specification  Group）−ＲＡＮ（Radio  Access  Network）  ＷＧ（Work  Group）１及びＴＳＧ−ＲＡＮ  ＷＧ２等がある。【０００４】
上記で述べたように、多種多様なサービスに対応するために、５Ｇなどの次世代通信方式では、多くのユースケースのサポートを想定している。ユースケースとしては、例えば、ｅＭＢＢ（Enhanced  Mobile  BroadBand）、Ｍａｓｓｉｖｅ  ＭＴＣ（Machine  Type  Communications）およびＵＲＬＬＣ（Ultra−Reliable  and  Low  Latency  Communication）に分類されるケースがある。【０００５】
また、第４世代通信方式であるＬＴＥ（Long  Term  Evolution）等では、効率的なデータ伝送を実現するためにハイブリッド自動再送要求（ＨＡＲＱ：Hybrid  Automatic  repeat  request）の技術が採用されている。ＨＡＲＱでは、受信装置は、例えばＬＴＥ等のレイヤ１プロトコル階層の処理において正しく復号できなかったデータについての再送を、送信装置側に要求する。送信装置側は、データの再送が要求されると、受信装置側において正しく復号できなかったもとのデータの再送要求に対応する再送データを送信する。受信装置側では、正しく復号できなかったデータと、再送データとを組み合わせて、データの復号が行われる。これにより、高効率かつ高精度な再送制御が実現される。  なお、受信装置側は、正しく復号できた場合にＡｃｋの情報を、正しく復号できなかった場合にＮａｃｋの情報を送信装置に送信することにより、再送要求を実現している。【０００６】
また、ＬＴＥのＡｃｋ／Ｎａｃｋのフィードバック情報は、例えば、１４シンボルのＴＴＩ（Transmission  Time  Interval）あたり１ｂｉｔで行われている。【０００７】
また、次世代の５Ｇ  ＮＲ（New  Radio）では、Ａｃｋ／Ｎａｃｋのフィードバック情報をコードブロックグループ（Code  Block  Group  :  CBG）単位で行うことの導入が同意されている。なお、ＣＢＧを用いたＡｃｋ／Ｎａｃｋのフィードバック情報は、ＣＢＧ単位あたり１ｂｉｔで行われる。また、ＣＢＧを構成するシンボルの数及びＡｃｋ／Ｎａｃｋのフィードバック情報を伝送するシンボルの数はそれぞれ、例えば、ＬＴＥで用いられる１ＴＴＩのシンボル数である１４シンボル以下の値となる。
【先行技術文献】
【非特許文献】
【０００８】
【非特許文献１】3GPP  TS  36.211  V14.2.0  (2017-03)
【非特許文献２】3GPP  TS  36.212  V14.2.0  (2017-03)
【非特許文献３】3GPP  TS  36.213  V14.2.0  (2017-03)
【非特許文献４】3GPP  TS  36.300  V14.2.0  (2017-03)
【非特許文献５】3GPP  TS  36.321  V14.2.0  (2017-03)
【非特許文献６】3GPP  TS  36.322  V14.0.0  (2017-03)
【非特許文献７】3GPP  TS  36.323  V14.2.0  (2017-03)
【非特許文献８】3GPP  TS  36.331  V14.2.1  (2017-03)
【非特許文献９】3GPP  TS  36.413  V14.2.0  (2017-03)
【非特許文献１０】3GPP  TS  36.423  V14.2.0  (2017-03)
【非特許文献１１】3GPP  TS  36.425  V14.0.0  (2017-03)
【非特許文献１２】3GPP  TR  38.801  V14.0.0  (2017-03)
【非特許文献１３】3GPP  TR  38.802  V14.0.0  (2017-03)
【非特許文献１４】3GPP  TR  38.803  V14.0.0  (2017-03)
【非特許文献１５】3GPP  TR  38.804  V14.0.0  (2017-03)
【非特許文献１６】3GPP  TR  38.900  V14.2.0  (2016-12)
【非特許文献１７】3GPP  TR  38.912  V14.0.0  (2017-03)
【非特許文献１８】3GPP  TR  38.913  V14.2.0  (2017-03)
【発明の概要】
【発明が解決しようとする課題】
【０００９】
ところで、ＣＢＧでのＡｃｋ／Ｎａｃｋのフィードバック情報は、Ａｃｋ／Ｎａｃｋのフィードバック情報に用いるビット数が増える場合がある。そのため、送信電力が増加する可能性がある。さらに、例えば、Ａｃｋ／Ｎａｃｋのフィードバック情報と他の情報（例えば、スケジューリングリクエスト）を同時に送信する場合には、Ａｃｋ／Ｎａｃｋのフィードバック情報のみの情報を送信する場合に比べて送信電力が大きくなることが考えられる。【００１０】
しかしながら、端末の送信電力は、予め上限を設定されているケースが多い。そのため、送信電力を考慮しつつ、Ａｃｋ／Ｎａｃｋのフィードバック情報等の情報を効率的に送信することが要求される。【００１１】
開示の技術は、上記に鑑みてなされたものであって、Ａｃｋ／Ｎａｃｋのフィードバック情報等の情報を効率的に送信する端末装置、基地局装置、無線通信システム及び端末装置制御方法を提供することを目的とする。
【課題を解決するための手段】
【００１２】
本願の開示する端末装置、基地局装置、無線通信システム及び端末装置制御方法の一つの態様において、受信部は、基地局装置から無線信号を受信する。応答信号生成部は、前記受信部による前記無線信号の受信結果を複数分通知する受信応答を生成する。送信部は、前記受信応答を含む異なる複数の種類の信号を同じタイミングで送信する場合と１つの種類の信号を送信する場合とで、信号の送信に用いる無線リソースの大きさ又は位置を異ならせる。
【発明の効果】
【００１３】
１つの側面では、本発明は、Ａｃｋ／Ｎａｃｋのフィードバック情報等の情報を効率的に送信することができる。
【図面の簡単な説明】
【００１４】
【図１】図１は、端末装置のブロック図である。
【図２】図２は、ＣＢＧ型のフィードバック方式について説明するための図である。
【図３】図３は、サブキャリアにマッピングされたＡｃｋ／Ｎａｃｋを表すビットパターンの一例の図である。
【図４】図４は、２つのリソースブロックにマッピングされる２つのＣＢＧに対するＡｃｋ／Ｎａｃｋを表す値の一例を表す図である。
【図５】図５は、１つのリソースブロック内の１つのサブキャリアに２つのＣＢＧのＡｃｋ／Ｎａｃｋがマッピングされた一例を示す図である。
【図６】図６は、無線リソースの割り当てを表す図である。
【図７】図７は、実施例１に係る端末装置による無線リソースの割り当てを表す図である。
【図８】図８は、基地局装置のブロック図である。
【図９】図９は、実施例１に係る端末装置による受信応答及び無線リソース割当要求の送信のフローチャートである。
【図１０】図１０は、実施例２に係る端末装置による無線リソースの割り当てを表す図である。
【図１１】図１１は、各ＣＢＧに対するＡｃｋ／Ｎａｃｋの一例を表す図である。
【図１２】図１２は、未使用リソーステーブルの一例を表す図である。
【図１３】図１３は、実施例２に係る端末装置による受信応答及び無線リソース割当要求の送信のフローチャートである。
【図１４】図１４は、実施例３に係るＰＵＣＣＨ生成部により生成されるＣＢＧグループの一例を示す図である。
【図１５】図１５は、実施例３に係る端末装置による無線リソースの割り当てを表す図である。
【図１６】図１６は、実施例３に係る端末装置による受信応答及び無線リソース割当要求の送信のフローチャートである。
【図１７】図１７は、実施例４に係るＰＵＣＣＨ生成部により生成されるＣＢＧグループ、並びに、直接通知ＣＢＧ及び間接通知ＣＢＧの一例を示す図である。
【図１８】図１８は、使用リソーステーブルの一例を表す図である。
【図１９】図１９は、実施例４に係る端末装置による無線リソースの割り当てを表す図である。
【図２０】図２０は、実施例５に係る端末装置による無線リソースの割り当てを表す図である。
【図２１】図２１は、実施例６に係るＰＵＣＣＨ生成部により生成されるＣＢＧグループの一例を示す図である。
【図２２】図２２は、実施例６に係る端末装置による無線リソースの割り当てを表す図である。
【図２３】図２３は、各リソースブロックにおけるＮａｃｋの数の算出を説明するための図である。
【図２４】図２４は、実施例７に係る端末装置による無線リソースの割り当てを表す図である。
【図２５】図２５は、実施例７に係る端末装置による受信応答及び無線リソース割当要求の送信のフローチャートである。
【図２６】図２６は、実施例８に係る種類の異なる無線リソース割当要求に対する無線リソースの割り当てを表す図である。
【図２７】図２７は、実施例９に係る端末装置による無線リソースの割り当てを表す図である。
【図２８】図２８は、実施例１１に係る端末装置のブロック図である。
【図２９】図２９は、異なるＴＴＩにおける信号に対するＡｃｋ／Ｎａｃｋをまとめて同じタイミングで送信する場合の無線リソースの割り当てを表す図である。
【図３０】図３０は、各実施例に係る端末装置のハードウェア構成図である。
【図３１】図３１は、各実施例に係る基地局装置のハードウェア構成図である。
【発明を実施するための形態】
【００１５】
以下に、本願の開示する端末装置、基地局装置、無線通信システム及び端末装置制御方法の実施例を図面に基づいて詳細に説明する。なお、以下の実施例により本願の開示する端末装置、基地局装置、無線通信システム及び端末装置制御方法が限定されるものではない。
【実施例１】
【００１６】
図１は、端末装置のブロック図である。端末装置１は、後述する基地局装置２と無線通信によりデータの送受信を行う。本実施例では、端末装置１及び基地局装置２は、ＨＡＲＱフィードバック方式としてＣＢＧ（Code  Block  Group）型のフィードバック方式を用いる。ここで、ＣＢＧ型のフィードバック方式について以下に説明する。【００１７】
図２は、ＣＢＧ型のフィードバック方式について説明するための図である。端末装置１は、コードブロック（ＣＢ：Code  Block）１０１を所定数集めたＣＢＧ（Code  Brock  Group）１１１〜１１３を含むトランスポートブロック１１５を基本単位として、データを基地局装置２から受信する。ここで、図２では、２つのコードブロック１０１を集めたものをＣＢＧ１１１〜１１３としたが、ＣＢＧ１１１〜１１３のコードブロックの数には特に制限は無い。以下では、ＣＢＧ１１１〜１１３を区別しない場合、「ＣＢＧ１１０」として表す。このコードブロック１０１が、「第１グループ」の一例にあたる。また、ＣＢＧ１１０が、「第２グループ」の一例にあたる。【００１８】
端末装置１は、無線部１１、ＰＤＣＣＨ（Physical  Downlink  Control  Channel）受信処理部１２及びＰＤＳＣＨ（Physical  Downlink  Sheared  Channel）受信処理部１３を有する。また、端末装置１は、ＡＣＫ（Acknowledgement）／ＮＡＣＫ（Negative  Acknowledgement）生成部１４及びＳＲ（Scheduling  Request）生成部１５を有する。さらに、ＰＵＣＣＨ（Physical  Uplink  Control  Channel）生成部１６及びＰＵＳＣＨ（Physical  Uplink  Sheared  Channel）生成部１７及びバッファ１８を有する。【００１９】
無線部１１は、アンテナを介して制御信号及びデータを含むＰＤＣＣＨ及びＰＤＳＣＨの信号を基地局装置２から受信する。ここで、無線部１１が受信する信号は、図２に示すような複数のＣＢＧ１１０を含むトランスポートブロック１１５を含む。そして、無線部１１は、受信した信号にＡＤ（Analog  Digital）変換を施す。その後、無線部１１は、受信したＰＤＣＣＨ及びＰＤＳＣＨの信号をＰＤＣＣＨ受信処理部１２へ出力する。【００２０】
また、無線部１１は、ＡＣＫ／ＮＡＣＫを表す信号の入力をＰＵＣＣＨ生成部１６から受ける。次に、無線部１１は、ＡＣＫ／ＮＡＣＫを表す信号に対してＤＡ（Digital  Analog）変換を施す。その後、無線部１１は、ＡＣＫ／ＮＡＣＫを表す信号をアンテナを介して基地局装置２へ送信する。【００２１】
また、無線部１１は、データを含む信号の入力をＰＵＳＣＨ生成部１７から受ける。次に、無線部１１は、データを含む信号に対してＤＡ変換を施す。その後、無線部１１は、データを含む信号をアンテナを介して基地局装置２へ送信する。【００２２】
ＰＤＣＣＨ受信処理部１２は、制御信号及びデータを含むＰＤＣＣＨ及びＰＤＳＣＨの信号の入力を無線部１１から受ける。そして、ＰＤＣＣＨ受信処理部１２は、ＰＤＣＣＨの信号に対して復調処理及び復号化処理を施して制御信号を取得する。この制御信号には、無線リソースの割り当て情報も含まれる。その後、ＰＤＣＣＨ受信処理部１２は、制御信号とともにＰＤＳＣＨの信号をＰＤＳＣＨ受信処理部１３へ出力する。【００２３】
ＰＤＳＣＨ受信処理部１３は、制御信号とともにＰＤＳＣＨの信号の入力をＰＤＣＣＨ受信処理部１２から受ける。次に、ＰＤＳＣＨ受信処理部１３は、制御信号で指定されたＭＣＳ（Modulation  and  Coding  Scheme）を用いてＰＤＣＣＨの信号に対して復調処理及び復号化処理を施してデータを取得する。【００２４】
次に、ＰＤＳＣＨ受信処理部１３は、１つのトランスポートブロック１１５のデータに含まれるＣＢＧ１１０を特定する。そして、ＰＤＳＣＨ受信処理部１３は、トランスポートブロック１１５に含まれる各ＣＢＧ１１０についてデータが復号できたか否かを判定する。【００２５】
ＰＤＳＣＨ受信処理部１３は、データが復号できたＣＢＧ１１０については、データの復号の成功をＡＣＫ／ＮＡＣＫ生成部１４へ通知する。また、ＰＤＳＣＨ受信処理部１３は、データの復号に失敗したＣＢＧ１１０については、データの復号の失敗をＡＣＫ／ＮＡＣＫ生成部１４へ通知する。このＰＤＳＣＨ受信処理部１３が、「受信部」の一例にあたる。【００２６】
ＡＣＫ／ＮＡＣＫ生成部１４は、各ＣＢＧ１１０に対するデータの復号の成功の通知又は失敗の通知をＰＤＳＣＨ受信処理部１３から受ける。そして、ＡＣＫ／ＮＡＣＫ生成部１４は、各ＣＢＧ１１０に対するデータの復号の成功を表すＡｃｋ又はデータの復号の失敗を表すＮａｃｋを生成する。以下では、Ａｃｋ及びＮａｃｋのいずれか一方もしくは双方を含む情報を、「Ａｃｋ／Ｎａｃｋ」と表す。【００２７】
ここで、各ＣＢＧ１１０に対するＡｃｋ／Ｎａｃｋの生成について説明する。図３は、サブキャリアにマッピングされたＡｃｋ／Ｎａｃｋを表すビットパターンの一例の図である。ここでは、２つのＣＢＧ＃１及び＃２に対するＡｃｋ／Ｎａｃｋについて説明する。【００２８】
１つのリソースブロック１２１及び１２２は、１２個のサブキャリアを含む。そして、各サブキャリアがそれぞれ値を有する。Ａｃｋ／Ｎａｃｋは、リソースブロック１２１及び１２２などを用いて基地局装置２へ送信される。図３では、ＣＢＧ＃１又は＃２のいずれに対するＡｃｋ／Ｎａｃｋの値が各サブキャリアに入っているかを表している。【００２９】
リソースブロック１２１は、１つのリソースブロックでＣＢＧ＃１に対する１ビットのＡｃｋ又はＮａｃｋを表す場合の、Ａｃｋ／Ｎａｃｋのビットパターンのマッピングを表す。この場合、リソースブロック１２１のＲＳ（Reference  Signal）を除く各サブキャリアは全てＣＢＧ＃１に対するＡｃｋ又はＮａｃｋの値を表す。すなわち、Ａｃｋを表す値を０としＮａｃｋを表す値を１とすると、ＣＢＧ＃１に対してＡｃｋを返す場合、リソースブロック１２１に含まれるサブキャリアには、ＲＳ以外は全て０の値が格納される。ＣＢＧ＃１に対してＮａｃｋを返す場合、リソースブロック１２１に含まれるサブキャリアには、ＲＳ以外は全て１の値が格納される。【００３０】
この場合、１つのリソースブロックに対して１つのＣＢＧのＡｃｋ又はＮａｃｋの値が格納されるので、ＡＣＫ／ＮＡＣＫ生成部１４は、リソースブロック１２１に対しては、同じ値を並べた８ビットのビット系列をＣＢＧ＃１のＡｃｋ／Ｎａｃｋとして生成する。この場合、基地局装置２は、受信した信号の１つのリソースブロック１２１から、ＣＢＧ＃１のＡｃｋ／Ｎａｃｋを取得する。【００３１】
一方、リソースブロック１２２は、１つのリソースブロックでＣＢＧ＃１及び＃２のそれぞれに対する１ビットのＡｃｋ又はＮａｃｋを表す場合の、Ａｃｋ／Ｎａｃｋのビットパターンのマッピングを表す。この場合、リソースブロック１２２のＲＳを除く各サブキャリアには、ＣＢＧ＃１に対するＡｃｋ又はＮａｃｋを表す値又はＣＢＧ＃２に対するＡｃｋ又はＮａｃｋを表す値が格納される。例えば、リソースブロック１２２に示すように、ＣＢＧ＃１に対するＡｃｋ／Ｎａｃｋを表す値とＣＢＧ＃２に対するＡｃｋ／Ｎａｃｋを表す値とがＲＳ以外のサブキャリアに交互に配置される。この場合、２つのリソースブロックで２つのＣＢＧ＃１及び＃２のそれぞれに対するＡｃｋ／Ｎａｃｋが表される。【００３２】
この場合、ＡＣＫ／ＮＡＣＫ生成部１４は、Ａｃｋを表す値を０としＮａｃｋを表す値を１とすると、ＣＢＧ＃１及び＃２のＡｃｋ／Ｎａｃｋを表す２つのリソースブロック分のビット系列を、図４に示すように生成する。図４は、２つのリソースブロックにマッピングされる２つのＣＢＧに対するＡｃｋ／Ｎａｃｋを表す値の一例を表す図である。【００３３】
例えば、ＣＢＧ＃１の受信応答がＡｃｋで、ＣＢＧ＃２の受信応答がＮａｃｋの場合、ＡＣＫ／ＮＡＣＫ生成部１４は、「０１０１０１０１，０１０１０１０１」というビット系列を生成する。この場合、基地局装置２は、受信した信号の２つのリソースブロック１２２の情報を加算するなどして、ＣＢＧ＃１及び＃２のそれぞれに対するＡｃｋ／Ｎａｃｋを取得する。【００３４】
１つのリソースブロックで表されるＣＢＧ１１０の受信応答の数が増えた場合、ＡＣＫ／ＮＡＣＫ生成部１４は、０と１で表されるビット系列のパターンを増やす。このように、ＡＣＫ／ＮＡＣＫ生成部１４は、１つのリソースブロック１２１で１つのＣＢＧ１１０に対するＡｃｋ／Ｎａｃｋの情報を表すようにＡｃｋ／Ｎａｃｋを生成することもできる。また、ＡＣＫ／ＮＡＣＫ生成部１４は、複数のリソースブロック１２１で複数のＣＢＧ１１０に対するＡｃｋ／Ｎａｃｋの情報を表すようにＡｃｋ／Ｎａｃｋを生成することもできる。【００３５】
また、１サブキャリアに複数のＣＢＧのＡｃｋ／Ｎａｃｋをマッピングすることもできる。図５を参照して、１サブキャリアに複数のＣＢＧのＡｃｋ／Ｎａｃｋをマッピングする例について説明する。図５は、１つのリソースブロック内の１つのサブキャリアに２つのＣＢＧのＡｃｋ／Ｎａｃｋがマッピングされた一例を示す図である。図５における１サブキャリアの情報としては、例えば、サブキャリアを４位相偏移変調（ＱＰＳＫ：Quadrature  Phase  Shift  Keying）で変調した場合の２ビットの情報である。【００３６】
例えば、図５のリソースブロック１２３は、２つのＣＢＧに対するＡｃｋ／Ｎａｃｋを１つのリソースブロックで送信する場合のＡｃｋ／Ｎａｃｋのビットパターンのマッピングを表す。この場合、リソースブロック１２３のサブキャリアは、２ビットである。そして、リソースブロック１２３のＲＳを除く各サブキャリアは全てＣＢＧ＃１及び＃２に対するＡｃｋ又はＮａｃｋの値を表す。この場合、各サブキャリアがＱＰＳＫで変調される。ここで、例えば、Ａｃｋを表す値を０としＮａｃｋを表す値を１とすると、ＣＢＧ＃１に対してＡｃｋを返し、ＣＢＧ＃２に対してＮａｃｋを返す場合、リソースブロック１２３に含まれるサブキャリアには、ＲＳ以外は全て（０，１）の値が格納される。【００３７】
この場合、１つのリソースブロックに対して２つのＣＢＧのＡｃｋ又はＮａｃｋの値が格納されるので、ＡＣＫ／ＮＡＣＫ生成部１４は、リソースブロック１２３に対しては、同じ値を並べた１６ビットのビット系列が、ＣＢＧ＃１及び＃２のＡｃｋ／Ｎａｃｋとして生成される。この場合、基地局装置２は、受信した信号の１つのリソースブロック１２３から、ＣＢＧ＃１及び＃２のＡｃｋ／Ｎａｃｋを取得する。【００３８】
また、図５のリソースブロック１２４は、４つのＣＢＧに対するＡｃｋ／Ｎａｃｋを１つのリソースブロックで送信する場合のＡｃｋ／Ｎａｃｋのビットパターンのマッピングを表す。この場合も、リソースブロック１２３のサブキャリアは、２ビットである。そして、リソースブロック１２４のＲＳを除く各サブキャリアには、ＣＢＧ＃１及び＃２に対するＡｃｋ又はＮａｃｋを表す値又はＣＢＧ＃３及び＃４に対するＡｃｋ又はＮａｃｋを表す値が格納される。この場合も、各サブキャリアがＱＰＳＫで変調される。例えば、リソースブロック１２４に示すように、ＣＢＧ＃１及び＃２に対するＡｃｋ／Ｎａｃｋを表す値とＣＢＧ＃３及び＃４に対するＡｃｋ／Ｎａｃｋを表す値とがＲＳ以外のサブキャリアに交互に配置される。この場合、１つのリソースブロックで４つのＣＢＧ＃１〜＃４のそれぞれに対するＡｃｋ／Ｎａｃｋが表される。【００３９】
この場合、１つのリソースブロックに対して４つのＣＢＧのＡｃｋ又はＮａｃｋの値が格納されるので、ＡＣＫ／ＮＡＣＫ生成部１４は、リソースブロック１２４に対しては、同じ値を並べた３２ビットのビット系列が、ＣＢＧ＃１〜＃４のＡｃｋ／Ｎａｃｋとして生成される。この場合、基地局装置２は、受信した信号の１つのリソースブロック１２３から、ＣＢＧ＃１〜＃４のＡｃｋ／Ｎａｃｋを取得する。【００４０】
また、図５のリソースブロック群１２５は、４つのＣＢＧに対するＡｃｋ／Ｎａｃｋを２つのリソースブロックで送信する場合のＡｃｋ／Ｎａｃｋのビットパターンのマッピングを表す。この場合も、リソースブロック群１２５のサブキャリアは、２ビットである。そして、リソースブロック１２５のＲＳを除く各サブキャリアには、ＣＢＧ＃１及び＃２に対するＡｃｋ又はＮａｃｋを表す値又はＣＢＧ＃３及び＃４に対するＡｃｋ又はＮａｃｋを表す値が格納される。この場合も、各サブキャリアがＱＰＳＫで変調される。例えば、リソースブロック群１２５に示すように、ＣＢＧ＃１及び＃２に対するＡｃｋ／Ｎａｃｋを表す値とＣＢＧ＃３及び＃４に対するＡｃｋ／Ｎａｃｋを表す値とがＲＳ以外のサブキャリアに交互に配置される。この場合、２つのリソースブロックで４つのＣＢＧ＃１〜＃４のそれぞれに対するＡｃｋ／Ｎａｃｋが表される。【００４１】
この場合、１つのリソースブロックに対して４つのＣＢＧのＡｃｋ又はＮａｃｋの値が格納されるので、ＡＣＫ／ＮＡＣＫ生成部１４は、リソースブロック群１２５に対しては、同じ値を並べた３２ビットのビット系列が、ＣＢＧ＃１〜＃４のＡｃｋ／Ｎａｃｋとして生成される。この場合、基地局装置２は、受信した信号の２つのリソースブロック１２３から、ＣＢＧ＃１〜＃４のＡｃｋ／Ｎａｃｋを取得する。【００４２】
そして、ＡＣＫ／ＮＡＣＫ生成部１４は、各ＣＢＧ１１０に対するＡｃｋ及びＮａｃｋをまとめて１つのトランスポートブロック１１５に対する受信応答としてＰＵＣＣＨ生成部１６へ出力する。このＡＣＫ／ＮＡＣＫ生成部１４が、「応答信号生成部」の一例にあたる。【００４３】
バッファ１８は、第１バッファ１８１及び第２バッファ１８２を有する。第１バッファ１８１及び第２バッファ１８２には遅延や信頼度などの要求条件あるいはＱｏＳ（Quality  of  Service）にしたがって分けられた論理チャネルのデータがそれぞれ格納される。第１バッファ１８１は、ＵＲＬＬＣ（Ultra-Reliable  and  Low  Latency  Communication）などの低遅延で優先度の高い処理における送信データを格納するバッファである。また、第２バッファ１８２は、ｅＭＢＢ（Enhanced  Mobile  Brad  Band）やウェブブラウジングなどの優先度の低い処理における送信データを格納するバッファである。第１バッファ１８１や第２バッファ１８２には、ＣＰＵ（Central  Processing  Unit）が実行する演算処理などで発生した送信データがＣＰＵにより格納される。【００４４】
ＳＲ生成部１５は、第１バッファ１８１又は第２バッファ１８２に送信データが格納されたか否かを確認する。第１バッファ１８１又は第２バッファ１８２に送信データが格納された場合、ＳＲ生成部１５は、送信データを送信するための無線リソースの割り当てを要求する無線リソース割当要求を生成する。【００４５】
そして、ＳＲ生成部１５は、無線リソース割当要求を送信データの格納元である第１バッファ１８１又は第２バッファ１８２の情報とともにＰＵＣＣＨ生成部１６へ出力する。このＳＲ生成部１５が、「無線リソース割当要求生成部」の一例にあたる。【００４６】
ＰＵＣＣＨ生成部１６は、各ＣＢＧ１１０のＡＣＫ及びＮＡＣＫをまとめた１つのトランスポートブロック１１５に対する受信応答の情報の入力をＡＣＫ／ＮＡＣＫ生成部１４から受ける。また、ＰＵＣＣＨ生成部１６は、無線リソース割当要求の入力をＳＲ生成部１５から受ける。ここで、図６を参照して、受信応答及び無線リソース割当要求に対して予め割り当てられた無線リソースについて説明する。図６は、無線リソースの割り当てを表す図である。図６の縦方向は周波数を表し、横方向は時間を表す。【００４７】
図６において、ＰＤＣＣＨ２０２に挟まれた区間が、ＴＴＩ（Transmission  Time  Interval）２０１である。そして、ＰＤＣＣＨ２０２の後にＰＤＳＣＨ２０３が送受信される。そして、無線リソース２１０が、無線リソース割当要求に予め割り当てられたリソースである。また、無線リソース２２０が、受信応答に予め割り当てられたリソースである。なお、本実施例では、受信応答を送信するＰＵＣＣＨにおいて、２シンボル単位で信号が送信される場合で説明したが、このＰＵＣＣＨにおける送信単位は他の単位を用いてもよい。例えば、ＰＵＣＣＨにおいて、信号は１シンボル単位で送信されてもよい。以下では、図６で示す受信応答及び無線リソース割当要求に予め割り当てられた無線リソースを、「通常無線リソース」という。【００４８】
ＰＵＣＣＨ生成部１６は、受信応答又は無線リソース割当要求をあるＴＴＩ２０１において同時に送るか否かを判定する。以下では、あるＴＴＩ２０１において受信応答及び無線リソース割当要求を同じタイミングで送信する場合を、「同時送信」という。言い換えれば、同時送信とは、端末装置１において時間方向に重なる無線リソース２１０と無線リソース２２０とを用いた受信応答及び無線リソース割当要求の送信が発生した場合である。【００４９】
ＰＵＣＣＨ生成部１６は、同時送信でない場合、受信応答であるＡｃｋ／Ｎａｃｋを表すデータ又は無線リソース割当要求を表すデータに符号化処理及び変調処理を施す。その後、ＰＵＣＣＨ生成部１６は、符号化処理及び変調処理を施したデータに通常無線リソースを割り当てる。【００５０】
図７は、実施例１に係る端末装置による無線リソースの割り当てを表す図である。図７の、割当状態３１１〜３１３において縦方向が周波数を表し、横方向が時間を表す。例えば、無線リソース割当要求を送らずに受信応答を送る場合、ＰＵＣＣＨ生成部１６は、図７の割当状態３１１に示すように無線リソースを割り当てる。すなわち、ＰＵＣＣＨ生成部１６は、受信応答にリソースブロック３０１〜３０３の無線リソース２２０を割り当てる。この場合、リソースブロック３００の無線リソース２１０は割り当てられない。逆に、受信応答を送らずに無線リソース割当要求を送る場合、ＰＵＣＣＨ生成部１６は、リソースブロック３００の無線リソース２１０を割り当てる。【００５１】
そして、ＰＵＣＣＨ生成部１６は、無線リソースの割り当てに応じてＡｃｋ／Ｎａｃｋを表すデータ又は無線リソース割当要求を表すデータをＰＵＣＣＨに配置して信号を生成する。その後、ＰＵＣＣＨ生成部１６は、無線部１１を介して生成した信号を基地局装置２へ送信する。この場合、ＰＵＣＣＨ生成部１６は、無線リソース２１０を用いて無線リソース割当要求を基地局装置２へ送信する。また、ＰＵＣＣＨ生成部１６は、無線リソース２２０を用いて受信応答を基地局装置２へ送信する。【００５２】
次に、同時送信の場合のＰＵＣＣＨ生成部１６による処理について説明する。ここでは、同時送信時に発生した受信応答及び無線リソース割当要求を、同時送信でない場合と同様に通常無線リソースに割り当てた状態を「通常割当状態」という。【００５３】
同時送信の場合、ＰＵＣＣＨ生成部１６は、図７の割当状態３１２に示すように無線リソースを割り当てる。具体的には、ＰＵＣＣＨ生成部１６は、同時送信時の受信応答に割り当てるリソースブロックの情報を予め記憶する。すなわち、ＰＵＣＣＨ生成部１６は、受信応答の通常無線リソースに含まれるリソースブロックの中から１つ除外リソースブロックを予め記憶する。そして、ＰＵＣＣＨ生成部１６は、通常割当状態において除外リソースブロックが割り当てられるＡｃｋ／Ｎａｃｋを表すデータに、通常割当状態であれば無線リソース割当要求に割り当てられる無線リソース２１０を割り当てる。【００５４】
次に、無線リソース２１０を割り当てたデータ以外のＡｃｋ／Ｎａｃｋを表すデータに、通常割当状態と同様に無線リソース２２０の除外リソースブロック以外のリソースブロックを割り当てる。例えば、割当状態３１２に示すように、ＰＵＣＣＨ生成部１６は、無線リソース２１０を割り当てたデータ以外のＡｃｋ／Ｎａｃｋを表すデータに無線リソース２２０におけるリソースブロック３０１及び３０３を割り当てる。この場合、ＰＵＣＣＨ生成部１６は、リソースブロック３０２は使用しない。【００５５】
このように無線リソースの割り当てを行うことで、ＰＵＣＣＨ生成部１６は、通常無線リソースの中にＡｃｋ／Ｎａｃｋを送信しない未使用リソースブロックを含ませることで基地局装置２にＳＲの発生を通知する。【００５６】
ここで、リソースブロック３０１〜３０３のうちいずれを未使用とするかは自由に決めることができる。ただし、未使用リソースブロックが使用中リソースブロックに挟まれている方が、基地局装置２は、未使用であることを検出しやすい。そこで、ＰＵＣＣＨ生成部１６は、割当状態３１２のように、使用中リソースブロックに未使用リソースブロックが挟まれるように未使用リソースブロックを選択することが好ましい。【００５７】
また、無線リソース２１０にマッピングする信号の内容は、この未使用リソースブロックに対して通常割当状態にてマッピングする信号の内容をそのまま適用すればよい。あるいは、無線リソース２２０の中の使用リソースブロックと無線リソース２１０の中の使用リソースブロックを周波数順に並べ、通常割当状態のＡｃｋ／Ｎａｃｋの送信と同じ方法、すなわち周波数の低い順又は高いにマッピングを行ってもよい。【００５８】
さらに、ＰＵＣＣＨ生成部１６は、送信する無線リソース割当要求が、第１バッファ１８１又は第２バッファ１８２のいずれに格納された送信データのための無線リソース割当要求かを判定する。ここで、ＰＵＣＣＨ生成部１６は、第１バッファ１８１に格納された優先度の高い処理における送信データの送信と第２バッファ１８２に格納された優先度の高い処理における送信データの送信とでそれぞれ異なる送信電力密度を調整するためのパラメータを有する。【００５９】
本実施例では、ＰＵＣＣＨ生成部１６は、第１バッファ１８１に格納された送信データの送信の場合のパラメータとして、送信電力密度を高くするパラメータを有する。また、ＰＵＣＣＨ生成部１６は、第２バッファ１８２に格納された送信データの送信の場合のパラメータとして、第１バッファ１８１に格納された送信データの送信の場合よりも送信電力密度が低くなるパラメータを有する。パラメータは、例えば、受信応答を送信する場合の送信電力密度に対するオフセットである。このパラメータの値は、例えば、基地局装置２からＰＵＣＣＨのリソース設定を通知する際にＲＲＣ（Radio  Resource  Control）信号あるいはＰＤＣＣＨにより指定される。【００６０】
ＰＵＣＣＨ生成部１６は、第１バッファ１８１に格納された送信データを送信するための無線リソース割当要求であれば、割当状態３１２のように受信応答に割り当てられた無線リソースの送信電力密度を高くする。これに対して、第２バッファ１８２に格納された低優先度の処理における送信データに対する無線リソース割当要求であれば、ＰＵＣＣＨ生成部１６は、割当状態３１２のように受信応答の送信電力密度を通常の受信応答の送信時と同じにする。【００６１】
その後、ＰＵＣＣＨ生成部１６は、割当てた無線リソースを用いて決定した送信電力密度で無線部１１を介して受信応答のデータを基地局装置２へ送信する。これにより、ＰＵＣＣＨ生成部１６は、各ＣＢＧ１１０のＡｃｋ／Ｎａｃｋの情報とともに無線リソース割当要求の発生を基地局装置２へ通知する。【００６２】
ここで、本実施例では、同時送信の場合であっても、通常割当状態の割り当てで送信電力が不足しなければ、ＰＵＣＣＨ生成部１６は、常に割当状態３１３のように、通常割当状態の無線リソースの割り当てを行ってもよい。この場合、ＰＵＣＣＨ生成部１６は、リソースブロック３００〜３０１を全て使用する。【００６３】
このように、本実施例では、同時受信の場合、通常割当状態と比べて無線リソース割当要求の通常割当リソース分の無線リソースは使用されなくなる。すなわち、未使用無線リソースの数はそれほど増えない。ここで、優先度の低い無線リソース割当要求であれば、Ａｃｋ／Ｎａｃｋと同等の信頼度で送信してもよいので、送信電力は十分賄える。これに対して、優先度の高い無線リソース割当要求であれば、信頼度を高めるためにより高い送信電力密度での送信が望ましく、送信電力不足が発生する可能性もある。このＰＵＣＣＨ生成部１６が、「送信部」の一例にあたる。【００６４】
図１に戻って説明を続ける。ＰＵＳＣＨ生成部１７は、無線リソース割当要求に対する応答で指定された送信データを送信するための無線リソースの情報をＰＤＣＣＨ受信処理部１２から取得する。次に、ＰＵＳＣＨ生成部１７は、送信した無線リソース割当要求に対応する送信データをバッファ１８の第１バッファ１８１又は第２バッファ１８２から取得する。【００６５】
そして、ＰＵＳＣＨ生成部１７は、取得した送信データに符号化処理及び変調処理を施す。次に、ＰＵＳＣＨ生成部１７は、符号化処理及び変調処理を施した送信データに指定された無線リソースを割り当てる。その後、ＰＵＳＣＨ生成部１７は、無線リソースの割り当てに応じて送信データをＰＵＳＣＨに配置して信号を生成する。その後、ＰＵＳＣＨ生成部１７は、無線部１１を介して生成した信号を基地局装置２へ送信する。【００６６】
次に、図８を参照して、基地局装置２について説明する。図８は、基地局装置のブロック図である。基地局装置２は、図８に示すように、ＰＵＣＣＨリソース管理部２１、バッファ２２、スケジューラ２３、下り信号ベースバンド処理部２４、上り信号ベースバンド処理部２５及び無線部２６を有する。バッファ２２は、基地局装置２が取得した送信データの一時的な記憶領域である。【００６７】
ＰＵＣＣＨリソース管理部２１は、無線リソース割当要求用のリソース設定情報及びＡｃｋ／Ｎａｃｋ用のリソース設定情報をスケジューラ２３に通知する。ここで、ＰＵＣＣＨリソース管理部２１は、無線リソース割当要求及びＡｃｋ／Ｎａｃｋを送信する受信応答の通常無線リソースを予め決められた周期で周期的に設定してもよい。他にも、ＰＵＣＣＨリソース管理部２１は、無線リソース割当要求及びＡｃｋ／Ｎａｃｋを送信する受信応答の通常無線リソースをＴＴＩごとに決定して設定してもよい。【００６８】
スケジューラ２３は、バッファ２２に格納された送信データの中から送信するデータを特定する。そして、スケジューラ２３は、特定したデータの送信のスケジューリングを行う。【００６９】
次に、スケジューラ２３は、送信するトランスポートブロック１１５のデータをＣＢＧ１１０に分割する。次に、スケジューラ２３は、使用するＭＣＳを決定する。例えば、スケジューラ２３は、ＵＲＬＬＣ用のデータについては、ｅＭＢＢ用のデータに比べて冗長度を大きくするＭＣＳを選択する。また、スケジューラ２３は、データの送受信のための制御情報を生成する。さらに、スケジューラ２３は、データ及び制御情報を送信する無線リソースを決定する。その後、スケジューラ２３は、送信するデータのトランスポートブロック１１５における各ＣＢＧ１１０の情報、ＭＣＳの情報、生成した制御情報及び使用する無線リソースの情報を下り信号ベースバンド処理部２４へ出力する。【００７０】
その後、スケジューラ２３は、ＣＢＧ１１０毎に１ビットのＡＣＫ又はＮＡＣＫの入力を上り信号ベースバンド処理部２５から受ける。また、スケジューラ２３は、無線リソース割当要求の入力を上り信号ベースバンド処理部２５から受ける。【００７１】
スケジューラ２３は、送信したトランスポートブロック１１５に含まれるＣＢＧ１１０のうちでＮＡＣＫを受信したＣＢＧ１１０を特定する。そして、スケジューラ２３は、再送するデータを決定する。【００７２】
また、スケジューラ２３は、制御情報を生成する。さらに、無線リソース割当要求を受信した場合、スケジューラ２３は、送信データに用いる通常無線リソースを決定する。また、スケジューラ２３は、データの再送に用いる無線リソースを決定する。その後、スケジューラ２３は、再送するデータの情報、ＭＣＳの情報、生成した制御情報及び使用する無線リソースの情報を下り信号ベースバンド処理部２４へ出力する。スケジューラ２３は、全てのＣＢＧ１１０についてＡＣＫを受信するまで再送を繰り返す。【００７３】
下り信号ベースバンド処理部２４は、送信又は再送するデータの情報、ＭＣＳの情報、制御情報及び使用する無線リソースの情報の入力をスケジューラ２３から受ける。次に、下り信号ベースバンド処理部２４は、受信した送信又は再送するデータの情報に応じたデータをバッファ２２から取得する。次に、下り信号ベースバンド処理部２４は、受信したＭＣＳの情報で指定された符号化率を用いて取得したデータ及び制御情報に符号化処理を施す。さらに、下り信号ベースバンド処理部２４は、受信したＭＣＳの情報で指定された変調方式を用いて取得したデータ及び制御情報に変調処理を施す。その後、下り信号ベースバンド処理部２４は、指定された無線リソースに制御情報及びデータを割り当て、制御情報をＰＤＣＣＨに配置し、データをＰＤＳＣＨに配置する。そして、下り信号ベースバンド処理部２４は、制御情報及びデータを無線部２６へ出力する。【００７４】
無線部２６は、制御情報及びデータの入力を下り信号ベースバンド処理部２４から受ける。次に、無線部２６は、制御情報及びデータに対してＤＡ（Digital  to  Analog）変換を施す。その後、無線部２６は、割り当てられた無線リソースを用いて制御信号及びデータをアンテナを介して端末装置１へ送信する。【００７５】
また、無線部２６は、アンテナを介して送信したデータの受信応答又は無線リソース割当要求のいずれか一方及び双方を含む信号を端末装置１から受信する。そして、無線部２６は、受信した信号にＡＤ（Analog  to  Digital）変換を施す。その後、無線部２６は、送信したデータの受信応答又は無線リソース割当要求のいずれか一方及び双方を含む信号を上り信号ベースバンド処理部２５へ出力する。この無線部２６が、「基地局受信部」の一例にあたる。【００７６】
上り信号ベースバンド処理部２５は、送信したデータの受信応答又は無線リソース割当要求のいずれか一方及び双方を含む信号に対して復調処理及び復号化処理を施す。そして、上り信号ベースバンド処理部２５は、受信した信号における無線リソース２２０の全てのリソースブロックにＡｃｋ／Ｎａｃｋの情報が含まれているか否かを判定する。受信した信号における無線リソース２２０の全てのリソースブロックにＡｃｋ／Ｎａｃｋの情報が含まれている、すなわち未使用リソースブロックが含まれていない場合、上り信号ベースバンド処理部２５は、同時送信でないと判定する。【００７７】
同時送信でなければ、上り信号ベースバンド処理部２５は、受信応答の通常無線リソースである無線リソース２２０から各ＣＢＧ１１０に対するＡｃｋ／Ｎａｃｋの情報を取得する。【００７８】
これに対して、未使用リソースブロックが含まれている場合、上り信号ベースバンド処理部２５は、無線リソース割当要求の発生を把握する。ここで、上り信号ベースバンド処理部２５は、図７の割当状態３１２に示した同時送信時に受信応答の送信に使用されるリソースブロックを予め記憶する。そして、上り信号ベースバンド処理部２５は、予め決められたリソースブロックから各ＣＢＧ１１０に対するＡｃｋ／Ｎａｃｋの情報を取得する。【００７９】
また、無線リソース２２０の全てのリソースブロックにＡｃｋ／Ｎａｃｋの情報が含まれていない場合、上り信号ベースバンド処理部２５は、リソース２１０に無線リソース割当要求が配置されているか否かを判定する。無線リソース２１０に無線リソース割当要求が配置されている場合、上り信号ベースバンド処理部２５は、無線リソース割当要求の発生を把握する。これに対して、無線リソース２１０に無線リソース割当要求が配置されていない場合、上り信号ベースバンド処理部２５は、受信応答及び無線リソース割当要求のいずれも受信しなかったと判定する。【００８０】
その後、上り信号ベースバンド処理部２５は、各ＣＢＧ１１０に対するＡｃｋ／Ｎａｃｋの情報をスケジューラ２３へ出力する。また、無線リソース割当要求が発生したと判定した場合、上り信号ベースバンド処理部２５は、無線リソース割当要求の発生をスケジューラ２３に通知する。この上り信号ベースバンド処理部２５が、「取得部」の一例にあたる。【００８１】
次に、図９を参照して、端末装置１による受信応答及び無線リソース割当要求の送信の流れについて説明する。図９は、実施例１に係る端末装置による受信応答及び無線リソース割当要求の送信のフローチャートである。ここでは、基地局装置２から無線信号を受信した場合を例に説明する。【００８２】
ＰＤＳＣＨ受信処理部１３は、無線部１１及びＰＤＣＣＨ受信処理部１２を介して、基地局装置２から送信された信号を受信する（ステップＳ１０１）。【００８３】
ＡＣＫ／ＮＡＣＫ生成部１４は、ＰＤＣＣＨ受信処理部１２による信号の受信における、ＣＢＧ１１０毎の信号受信の成否を取得する。そして、ＡＣＫ／ＮＡＣＫ生成部１４は、取得したＣＢＧ１１０毎の信号受信の成否に応じて、各ＣＢＧ１１０に対するＡｃｋ／Ｎａｃｋを含む受信応答を生成する（ステップＳ１０２）。そして、ＡＣＫ／ＮＡＣＫ生成部１４は、生成した受信応答をＰＵＣＣＨ生成部１６へ出力する。【００８４】
ＰＵＣＣＨ生成部１６は、各ＣＢＧ１１０に対するＡｃｋ／Ｎａｃｋを含む受信応答の入力をＡＣＫ／ＮＡＣＫ生成部１４から受ける。さらに、ＰＵＣＣＨ生成部１６は、無線リソース割当要求をＳＲ生成部１５から取得したか否かにより、無線リソース割当要求があるか否かを判定する（ステップＳ１０３）。【００８５】
無線リソース割当要求がある場合（ステップＳ１０３：肯定）、ＰＵＣＣＨ生成部１６は、取得した受信応答に符号化処理及び変調処理を施す。そして、ＰＵＣＣＨ生成部１６は、符号化処理及び変調処理を施した受信応答に通常割当状態の無線リソース割当要求の無線リソース及び受信応答の無線リソースの一部を割り当てる（ステップＳ１０４）。【００８６】
これに対して、無線リソース割当要求が無い場合（ステップＳ１０３：否定）、取得した受信応答に変調処理及び符号化処理を施し、受信応答に通常無線リソースを全て割り当てる（ステップＳ１０５）。【００８７】
その後、ＰＵＣＣＨ生成部１６は、無線リソースの割り当てにしたがってＰＵＣＣＨへ変調処理及び符号化処理が施された信号を配置する（ステップＳ１０６）。そして、ＰＵＣＣＨ生成部１６は、変調処理及び符号化処理が施された信号を無線部１１へ出力する。【００８８】
無線部１１は、変調処理及び符号化処理が施された信号の入力をＰＵＣＣＨ生成部１６から受ける。そして、無線部１１は、変調処理及び符号化処理が施された信号に対してＤＡ変換を行いアンテナを介して端末装置１へ向けて送信する（ステップＳ１０７）。【００８９】
ここで、本実施例では、無線リソース割当要求と受信応答との同時送信の場合について説明したが、無線リソース割当要求と他の信号とが重なった場合でも同様の方法により送信で力を削減することができる。例えば、無線リソース割当要求とＣＳＩ（Channel  State  Information）フィードバックとを同時送信する場合でも、上述した方法により送信電力を削減することができる。具体的には、ＰＵＣＣＨ生成部１６が、ＣＳＩフィードバックへの無線リソースの割り当てを上述した受信応答に対する無線リソースの割り当てと同様に行うことで、無線リソース割当要求を送信せずに無線リソース割当要求の発生を基地局に通知することができる。これにより、送信電力を削減することができる。【００９０】
以上に説明したように、本実施例に係る端末装置は、同時送信の場合、通常割当状態の無線リソース割当要求の無線リソース及び受信応答の無線リソースの一部を用いて受信応答を送信する。これにより、本実施例に係る端末装置は、各ＣＢＧのＡｃｋ／Ｎａｃｋ及び無線リソース割当要求の発生を基地局装置に通知する。したがって、端末装置は、同時送信の場合の送信電力を低減することができる。すなわち、本実施例に係る端末装置は、Ａｃｋ／Ｎａｃｋのフィードバック情報や無線リソース割当要求等を含む情報を効率的に送信することができる。特に、同時送信の場合に無線リソース割当要求及び受信応答の双方を通常割当状態で送ろうとした際に送信電力が不足する場合に、送信電力の上限内で受信応答を送るとともに無線リソース割当要求の発生を通知することができる。
【実施例２】
【００９１】
次に、実施例２について説明する。本実施例に係る端末装置は、同時送信時に実施例１の場合に送ったＡｃｋ／Ｎａｃｋのうちの一部を送信して、送信したＡｃｋ／Ｎａｃｋの配置により残りのＡｃｋ／Ｎａｃｋを通知することが実施例１と異なる。本実施例に係る端末装置も図１のブロック図で表される。以下の説明では、実施例１と同様の各部の機能については説明を省略する。【００９２】
ＰＵＣＣＨ生成部１６は、受信応答の情報の入力をＡＣＫ／ＮＡＣＫ生成部１４から受ける。また、ＰＵＣＣＨ生成部１６は、無線リソース割当要求の入力をＳＲ生成部１５から受ける。【００９３】
ＰＵＣＣＨ生成部１６は、同時送信か否かを判定する。同時送信でない場合、ＰＵＣＣＨ生成部１６は、受信応答又は無線リソース割当要求を表すデータに符号化処理及び変調処理を施す。その後、実施例１と同様に、ＰＵＣＣＨ生成部１６は、符号化処理及び変調処理を施した信号に無線リソースを割り当てる。【００９４】
次に、同時送信の場合のＰＵＣＣＨ生成部１６による処理について説明する。図１０は、実施例２に係る端末装置による無線リソースの割り当てを表す図である。図１０の、割当状態３１４において縦方向が周波数を表し、横方向が時間を表す。同時送信の場合、ＰＵＣＣＨ生成部１６は、割当状態３１４に示すように無線リソースを割り当てる。【００９５】
具体的には、ＰＵＣＣＨ生成部１６は、対応するＡｃｋ／Ｎａｃｋを直接表すデータが送信されるＣＢＧ１１０を予め記憶する。図１１は、各ＣＢＧに対するＡｃｋ／Ｎａｃｋの一例を表す図である。ここでは、図１１に示すように、ＣＢＧ＃１〜＃６が存在し、ＰＵＣＣＨ生成部１６は、ＣＢＧ＃１〜＃４をＡｃｋ／Ｎａｃｋを直接表すデータを送信する直接通知ＣＢＧ４０１として予め記憶する。この場合、ＰＵＣＣＨ生成部１６は、ＣＢＧ＃１〜＃４のＡｃｋ／Ｎａｃｋの情報の配置状態、すなわち未使用リソースブロックの状態によりＡｃｋ／Ｎａｃｋの通知を行う間接通知ＣＢＧ４０２をＣＢＧ＃５及び＃６として予め記憶する。【００９６】
さらに、ＰＵＣＣＨ生成部１６は、図１２に示すような未使用リソーステーブル４１０を予め有する。図１２は、未使用リソーステーブルの一例を表す図である。未使用リソーステーブル４１０は、間接通知ＣＢＧのＡｃｋ／Ｎａｃｋに対応する未使用リソースブロックを表す。【００９７】
ＰＵＣＣＨ生成部１６は、直接通知ＣＢＧ４０１のＡｃｋ／Ｎａｃｋを表すリソースブロックと間接通知ＣＢＧ４０２のＡｃｋ／Ｎａｃｋの情報を表すリソースブロックとが分けられた受信応答をＡＣＫ／ＮＡＣＫ生成部１４から取得する。ＰＵＣＣＨ生成部１６は、取得した受信応答のうち間接通知ＣＢＧ４０２であるＣＢＧ＃５〜＃６のそれぞれのＡｃｋ／Ｎａｃｋの情報を取得する。そして、ＰＵＣＣＨ生成部１６は、ＣＢＧ＃５〜＃６のそれぞれのＡｃｋ／Ｎａｃｋに対応する未使用リソースブロックの組み合わせを未使用リソーステーブル４１０から取得する。例えば、図１１に示すように、ＣＢＧ＃５及び＃６のいずれに対してもＡｃｋを返す場合、ＰＵＣＣＨ生成部１６は、リソースブロック３０１及び３０２を未使用リソースブロックとして取得する。【００９８】
次に、ＰＵＣＣＨ生成部１６は、ＣＢＧ＃１〜＃４のＡｃｋ／Ｎａｃｋを表す受信応答に、通常割当状態であれば無線リソース割当要求に割り当てられる無線リソース２１０及び未使用リソースブロック以外のリソースブロックを割り当てる。例えば、ＣＢＧ＃５及び＃６のいずれに対してもＡｃｋを返す場合、ＰＵＣＣＨ生成部１６は、ＣＢＧ＃１〜＃４に対する受信応答に、無線リソース２１０にあたるリソースブロック３００及び無線リソース２２０のリソースブロック３０１を割り当てる。すなわち、ＰＵＣＣＨ生成部１６は、ＣＢＧ＃１〜＃４に対する受信応答に、無線リソースを割当状態３１４のように割り当てる。この場合、ＰＵＣＣＨ生成部１６は、リソースブロック３０２及び３０３は使用しない。【００９９】
このように無線リソースの割り当てを行うことで、ＰＵＣＣＨ生成部１６は、通常無線リソースの中にＡｃｋ／Ｎａｃｋを送信しない未使用リソースブロックを含ませることで基地局装置２にＳＲの発生を通知する。また、ＰＵＣＣＨ生成部１６は、送信する信号を減らす。【０１００】
さらに、ＰＵＣＣＨ生成部１６は、送信する無線リソース割当要求が、第１バッファ１８１又は第２バッファ１８２のいずれに格納された送信データのための無線リソース割当要求かを判定する。そして、ＰＵＣＣＨ生成部１６は、第１バッファ１８１に格納された送信データを送信するための無線リソース割当要求であれば、割当状態３１２のように受信応答に割り当てられた無線リソースの送信電力密度を高くする。すなわち、これに対して、第２バッファ１８２に格納された低優先度の処理の送信データに対する無線リソース割当要求であれば、ＰＵＣＣＨ生成部１６は、割当状態３１２のように受信応答の無線リソースの送信電力密度を通常の受信応答の送信時と同じにする。【０１０１】
その後、ＰＵＣＣＨ生成部１６は、割当てた無線リソースを用いて決定した送信電力密度で無線部１１を介して受信応答のデータを基地局装置２へ送信する。これにより、ＰＵＣＣＨ生成部１６は、各ＣＢＧ１１０のＡｃｋ／Ｎａｃｋの情報とともに無線リソース割当要求の発生を基地局装置２へ通知する。【０１０２】
ここで、本実施例においても、同時送信の場合であっても、通常割当状態の割り当てで送信電力が不足しなければ、ＰＵＣＣＨ生成部１６は、通常割当状態の無線リソースの割り当てを行ってもよい。【０１０３】
この場合、ＡＣＫ／ＮＡＣＫ生成部１４は、ＣＢＧ１１０のうちいずれが直接通知ＣＢＧ４０１であり間接通知ＣＢＧ４０２であるかを予め把握する。そして、ＡＣＫ／ＮＡＣＫ生成部１４は、直接通知ＣＢＧ４０１のＡｃｋ／Ｎａｃｋを表す受信応答を生成する。また、ＡＣＫ／ＮＡＣＫ生成部１４は、間接通知ＣＢＧ４０２のＡｃｋ／Ｎａｃｋの情報を表す受信応答を生成する。そして、ＡＣＫ／ＮＡＣＫ生成部１４は、生成した受信応答をＰＵＣＣＨ生成部１６へ出力する。【０１０４】
本実施例に係る基地局装置２も、図８のブロック図で表される。以下の説明では、実施例１と同様の各部の機能については説明を省略する。【０１０５】
上り信号ベースバンド処理部２５は、端末装置１のＰＵＣＣＨ生成部１６と同様に、未使用リソーステーブル４１０を有する。さらに、上り信号ベースバンド処理部２５は、ＣＢＧ１１０における直接通知ＣＢＧ４０１及び間接通知ＣＢＧ４０２の情報を予め有する。【０１０６】
上り信号ベースバンド処理部２５は、端末装置１が送信した信号を無線部２６から受信する。そして、上り信号ベースバンド処理部２５は、受信した信号に対して復号化処理及び復調処理を施す。そして、上り信号ベースバンド処理部２５は、受信した信号における無線リソース２２０の全てのリソースブロックにＡｃｋ／Ｎａｃｋの情報が含まれているか否かを判定する。受信した信号における無線リソース２２０の全てのリソースブロックにＡｃｋ／Ｎａｃｋの情報が含まれている、すなわち未使用リソースブロックが含まれていない場合、上り信号ベースバンド処理部２５は、同時送信でないと判定する。【０１０７】
同時送信でなければ、上り信号ベースバンド処理部２５は、受信応答の通常無線リソースである無線リソース２２０から各ＣＢＧ１１０に対するＡｃｋ／Ｎａｃｋの情報を取得する。【０１０８】
これに対して、未使用リソースブロックが含まれている場合、上り信号ベースバンド処理部２５は、無線リソース割当要求の発生を把握する。次に、上り信号ベースバンド処理部２５は、受信応答の通常無線リソースである無線リソース２２０において直接通知ＣＢＧ４０１が配置されたリソースブロックを特定する。そして、上り信号ベースバンド処理部２５は、直接通知ＣＢＧ４０１に対するＡｃｋ／Ｎａｃｋの情報を取得する。さらに、上り信号ベースバンド処理部２５は、未使用リソーステーブル４１０を用いて、無線リソース２２０における未使用リソースブロックの配置から間接通知ＣＢＧ４０２のＡｃｋ／Ｎａｃｋを判定する。【０１０９】
また、無線リソース２２０の何れにもリソースブロックにＡｃｋ／Ｎａｃｋの情報が含まれていない場合、上り信号ベースバンド処理部２５は、無線リソース２１０に無線リソース割当要求が配置されているか否かを判定する。無線リソース２１０に無線リソース割当要求が配置されている場合、上り信号ベースバンド処理部２５は、無線リソース割当要求の発生を把握する。これに対して、無線リソース２１０に無線リソース割当要求が配置されていない場合、上り信号ベースバンド処理部２５は、受信応答及び無線リソース割当要求のいずれも受信しなかったと判定する。【０１１０】
その後、上り信号ベースバンド処理部２５は、各ＣＢＧ１１０に対するＡｃｋ／Ｎａｃｋの情報をスケジューラ２３へ出力する。また、無線リソース割当要求が発生したと判定した場合、上り信号ベースバンド処理部２５は、無線リソース割当要求の発生をスケジューラ２３に通知する。【０１１１】
次に、図１３を参照して、本実施例に係る端末装置１による受信応答及び無線リソース割当要求の送信の流れについて説明する。図１３は、実施例２に係る端末装置による受信応答及び無線リソース割当要求の送信のフローチャートである。ここでは、基地局装置２から無線信号を受信した場合を例に説明する。【０１１２】
ＰＤＳＣＨ受信処理部１３は、無線部１１及びＰＤＣＣＨ受信処理部１２を介して、基地局装置２から送信された信号を受信する（ステップＳ２０１）。【０１１３】
ＡＣＫ／ＮＡＣＫ生成部１４は、ＰＤＣＣＨ受信処理部１２による信号の受信における、ＣＢＧ１１０毎の信号受信の成否を取得する。そして、ＡＣＫ／ＮＡＣＫ生成部１４は、取得したＣＢＧ１１０毎の信号受信の成否に応じて、各ＣＢＧ１１０に対するＡｃｋ／Ｎａｃｋを含む受信応答を生成する（ステップＳ２０２）。例えば、ＰＤＣＣＨ受信処理部１２は、直接通知ＣＢＧ４０１のＡｃｋ／Ｎａｃｋを表すリソースブロックと間接通知ＣＢＧ４０２のＡｃｋ／Ｎａｃｋの情報を表すリソースブロックとが分けられた受信応答を生成する。そして、ＡＣＫ／ＮＡＣＫ生成部１４は、生成した受信応答をＰＵＣＣＨ生成部１６へ出力する。【０１１４】
ＰＵＣＣＨ生成部１６は、各ＣＢＧ１１０に対するＡｃｋ／Ｎａｃｋを含む受信応答の入力をＡＣＫ／ＮＡＣＫ生成部１４から受ける。さらに、ＰＵＣＣＨ生成部１６は、無線リソース割当要求をＳＲ生成部１５から取得したか否かにより、無線リソース割当要求があるか否かを判定する（ステップＳ２０３）。【０１１５】
無線リソース割当要求がある場合（ステップＳ２０３：肯定）、ＰＵＣＣＨ生成部１６は、未使用リソーステーブル４１０を用いて、間接通知ＣＢＧ４０２のＡｃｋ／Ｎａｃｋを表す未使用リソースブロックの情報を取得する（ステップＳ２０４）。【０１１６】
ＰＵＣＣＨ生成部１６は、直接通知ＣＢＧ４０１のＡｃｋ／Ｎａｃｋに変調処理及び符号化処理を施し、無線リソース割当要求及び受信応答の通常無線リソースから未使用リソースブロックを除いた無線リソースを割り当てる（ステップＳ２０５）。【０１１７】
これに対して、無線リソース割当要求がある場合（ステップＳ２０３：否定）、ＰＵＣＣＨ生成部１６は、取得した受信応答に変調処理及び符号化処理を施し、受信応答に通常無線リソースを全て割り当てる（ステップＳ２０６）。【０１１８】
その後、ＰＵＣＣＨ生成部１６は、無線リソースの割り当てにしたがってＰＤＣＣＨへ変調処理及び符号化処理が施された信号を配置する（ステップＳ２０７）。そして、ＰＵＣＣＨ生成部１６は、変調処理及び符号化処理が施された信号を無線部１１へ出力する。【０１１９】
無線部１１は、変調処理及び符号化処理が施された信号の入力をＰＵＣＣＨ生成部１６から受ける。そして、無線部１１は、変調処理及び符号化処理が施された信号に対してＤＡ変換を行いアンテナを介して端末装置１へ向けて送信する（ステップＳ２０８）。【０１２０】
以上に説明したように、本実施例に係る端末装置は、直接通知ＣＢＧに対するＡｃｋ／Ｎａｃｋを直接表す信号を基地局装置へ送信するとともに、間接通知ＣＢＧに対するＡｃｋ／Ｎａｃｋを直接通知ＣＢＧに対するＡｃｋ／Ｎａｃｋの配置により通知する。これにより、Ａｃｋ／Ｎａｃｋのフィードバック情報や無線リソース割当要求等を含む情報を効率的に送信することができる。また、実施例１に比べてより送信電力を低減することができる。
【実施例３】
【０１２１】
次に、実施例３について説明する。本実施例に係る端末装置は、同時送信時にＣＢＧをグループ化してＣＢＧグループを生成し、ＣＢＧグループ毎にＡｃｋ／Ｎａｃｋを通知することが実施例１と異なる。また、本実施例においては同時送信しない場合に比べて同時送信時のフィードバックするＡｃｋ／Ｎａｃｋの１ビットあたりの対応するＣＢ数を増やすことにより、Ａｃｋ／Ｎａｃｋフィードバックのビット数を減らす。本実施例に係る端末装置も図１のブロック図で表される。以下の説明では、実施例１と同様の各部の機能については説明を省略する。【０１２２】
ＰＵＣＣＨ生成部１６は、受信応答の情報の入力をＡＣＫ／ＮＡＣＫ生成部１４から受ける。また、ＰＵＣＣＨ生成部１６は、無線リソース割当要求の入力をＳＲ生成部１５から受ける。【０１２３】
ＰＵＣＣＨ生成部１６は、同時送信か否かを判定する。同時送信でない場合、ＰＵＣＣＨ生成部１６は、受信応答又は無線リソース割当要求を表すデータに符号化処理及び変調処理を施す。その後、実施例１と同様に、ＰＵＣＣＨ生成部１６は、符号化処理及び変調処理を施した信号に無線リソースを割り当てる。【０１２４】
次に、同時送信の場合のＰＵＣＣＨ生成部１６による処理について説明する。図１４は、実施例３に係るＰＵＣＣＨ生成部により生成されるＣＢＧグループの一例を示す図である。ここでも、ＣＢＧ＃１〜＃６が存在する場合で説明する。ＰＵＣＣＨ生成部１６は、ＡＣＫ／ＮＡＣＫ生成部１４から取得した受信応答から各ＣＢＧ＃１〜＃６に対するＡｃｋ／Ｎａｃｋの情報を取得する。【０１２５】
ここで、ＰＵＣＣＨ生成部１６は、予めＣＢＧ＃１〜＃６をどのようにグループ化するかの情報を予め有する。そして、ＰＵＣＣＨ生成部１６は、予め決められた情報にしたがい、ＣＢＧ＃１〜＃６をグループ化する。例えば、図１４に示すように、ＰＵＣＣＨ生成部１６は、ＣＢＧ＃１及び＃２は、そのまま１つずつＣＢＧグループ＃＃１及び＃＃２を生成し、ＣＢＧ＃３及び＃４、並びに、ＣＢＧ＃５及び＃６をそれぞれまとめてＣＢＧグループ＃＃３及び＃＃４を生成する。【０１２６】
この場合、ＰＵＣＣＨ生成部１６は、それぞれのＣＢＧグループ＃＃１〜＃＃４のＡｃｋ／Ｎａｃｋを、各グループに含まれるＣＢＧ１１０のＡｃｋ／Ｎａｃｋの論理和とする。すなわち、ＰＵＣＣＨ生成部１６は、ＣＢＧ＃１及び＃２に対するＡｃｋ／ＮａｃｋをそのままＣＢＧグループ＃＃１及び＃＃２のＡｃｋ／Ｎａｃｋとする。また、ＰＵＣＣＨ生成部１６は、ＣＢＧ＃３及び＃４のいずれに対する応答もＡｃｋであるので、ＣＢＧグループ＃＃３に対する応答をＡｃｋとする。また、ＰＵＣＣＨ生成部１６は、ＣＢＧ＃５に対する応答がＡｃｋであり、ＣＢＧ＃６のいずれに対する応答がＮａｃｋであるので、ＣＢＧグループ＃＃４に対する応答をＮａｃｋとする。【０１２７】
そして、ＰＵＣＣＨ生成部１６は、図１５の割当状態３１５に示すように、受信応答の通常無線リソースの内の予め決められた一部のリソースブロックをＣＢＧグループ＃＃１〜＃＃４のＡｃｋ／Ｎａｃｋを表す受信応答に割り当てる。図１５は、実施例３に係る端末装置による無線リソースの割り当てを表す図である。ここでは、ＰＵＣＣＨ生成部１６は、無線リソース２２０のリソースブロック３０２及び３０１をＣＢＧグループ＃＃１〜＃＃４のＡｃｋ／Ｎａｃｋを表す受信応答に割り当て、リソースブロック３０３を未使用リソースブロックとする。【０１２８】
このように、ＰＵＣＣＨ生成部１６は、通常無線リソースの中にＡｃｋ／Ｎａｃｋを送信しない未使用リソースブロックを含ませることで基地局装置２にＳＲの発生を通知する。また、ＰＵＣＣＨ生成部１６は、送信する信号を減らす。【０１２９】
さらに、ＰＵＣＣＨ生成部１６は、送信する無線リソース割当要求が、第１バッファ１８１又は第２バッファ１８２のいずれに格納された送信データのための無線リソース割当要求かにより送信電力密度を変更する。【０１３０】
その後、ＰＵＣＣＨ生成部１６は、割当てた無線リソースを用いて決定した送信電力密度で無線部１１を介して受信応答のデータを基地局装置２へ送信する。これにより、ＰＵＣＣＨ生成部１６は、各ＣＢＧ１１０のＡｃｋ／Ｎａｃｋの情報とともに無線リソース割当要求の発生を基地局装置２へ通知する。【０１３１】
ここで、本実施例においても、同時送信の場合であっても、通常割当状態の割り当てで送信電力が不足しなければ、ＰＵＣＣＨ生成部１６は、通常割当状態の無線リソースの割り当てを行ってもよい。【０１３２】
本実施例に係る基地局装置２も、図８のブロック図で表される。以下の説明では、実施例１と同様の各部の機能については説明を省略する。【０１３３】
上り信号ベースバンド処理部２５は、端末装置１のＰＵＣＣＨ生成部１６と同様に、各ＣＢＧグループ＃＃１〜＃＃４に含まれるＣＢＧ１１０の情報を予め有する。また、上り信号ベースバンド処理部２５は、ＣＢＧグループ＃＃１〜＃＃４に対するＡｃｋ／Ｎａｃｋが配置される位置を予め有する。【０１３４】
上り信号ベースバンド処理部２５は、端末装置１が送信した信号を無線部２６から受信する。そして、上り信号ベースバンド処理部２５は、受信した信号に対して復号化処理及び復調処理を施す。そして、上り信号ベースバンド処理部２５は、受信した信号における無線リソース２２０の全てのリソースブロックにＡｃｋ／Ｎａｃｋの情報が含まれているか否かを判定する。受信した信号における無線リソース２２０の全てのリソースブロックにＡｃｋ／Ｎａｃｋの情報が含まれている、すなわち未使用リソースブロックが含まれていない場合、上り信号ベースバンド処理部２５は、同時送信でないと判定する。【０１３５】
同時送信でなければ、上り信号ベースバンド処理部２５は、受信応答の通常無線リソースである無線リソース２２０から各ＣＢＧ＃１〜＃６に対するＡｃｋ／Ｎａｃｋの情報を取得する。【０１３６】
これに対して、未使用リソースブロックが含まれている場合、上り信号ベースバンド処理部２５は、無線リソース割当要求の発生を把握する。次に、上り信号ベースバンド処理部２５は、受信応答の通常無線リソースである無線リソース２２０における予め決められたリソースブロックからＣＢＧグループ＃＃１〜＃＃４に対するＡｃｋ／Ｎａｃｋの情報を取得する。そして、上り信号ベースバンド処理部２５は、ＣＢＧグループ＃＃１〜＃＃４に対するＡｃｋ／Ｎａｃｋの情報から、各ＣＢＧ＃１〜＃６に対するＡｃｋ／Ｎａｃｋを取得する。【０１３７】
また、無線リソース２２０の全てのリソースブロックにＡｃｋ／Ｎａｃｋの情報が含まれていない場合、上り信号ベースバンド処理部２５は、無線リソース２１０に無線リソース割当要求が配置されているか否かを判定する。無線リソース２１０に無線リソース割当要求が配置されている場合、上り信号ベースバンド処理部２５は、無線リソース割当要求の発生を把握する。これに対して、無線リソース２１０に無線リソース割当要求が配置されていない場合、上り信号ベースバンド処理部２５は、受信応答及び無線リソース割当要求のいずれも受信しなかったと判定する。【０１３８】
その後、上り信号ベースバンド処理部２５は、各ＣＢＧ１１０に対するＡｃｋ／Ｎａｃｋの情報をスケジューラ２３へ出力する。また、無線リソース割当要求が発生したと判定した場合、上り信号ベースバンド処理部２５は、無線リソース割当要求の発生をスケジューラ２３に通知する。【０１３９】
次に、図１６を参照して、本実施例に係る端末装置１による受信応答及び無線リソース割当要求の送信の流れについて説明する。図１６は、実施例３に係る端末装置による受信応答及び無線リソース割当要求の送信のフローチャートである。ここでは、基地局装置２から無線信号を受信した場合を例に説明する。【０１４０】
ＰＤＳＣＨ受信処理部１３は、無線部１１及びＰＤＣＣＨ受信処理部１２を介して、基地局装置２から送信された信号を受信する（ステップＳ３０１）。【０１４１】
ＡＣＫ／ＮＡＣＫ生成部１４は、ＰＤＣＣＨ受信処理部１２による信号の受信における、ＣＢＧ１１０毎の信号受信の成否を取得する。そして、ＡＣＫ／ＮＡＣＫ生成部１４は、取得したＣＢＧ１１０毎の信号受信の成否に応じて、各ＣＢＧ１１０に対するＡｃｋ／Ｎａｃｋを含む受信応答を生成する（ステップＳ３０２）。そして、ＡＣＫ／ＮＡＣＫ生成部１４は、生成した受信応答をＰＵＣＣＨ生成部１６へ出力する。【０１４２】
ＰＵＣＣＨ生成部１６は、各ＣＢＧ１１０に対するＡｃｋ／Ｎａｃｋを含む受信応答の入力をＡＣＫ／ＮＡＣＫ生成部１４から受ける。さらに、ＰＵＣＣＨ生成部１６は、無線リソース割当要求をＳＲ生成部１５から取得したか否かにより、無線リソース割当要求があるか否かを判定する（ステップＳ３０３）。【０１４３】
無線リソース割当要求がある場合（ステップＳ３０３：肯定）、ＰＵＣＣＨ生成部１６は、ＣＢＧグループを生成する（ステップＳ３０４）。【０１４４】
さらに、ＰＵＣＣＨ生成部１６は、各ＣＢＧグループに含まれるＣＢＧ１１０のＡｃｋ／Ｎａｃｋの論理和を求めＣＢＧグループのＡｃｋ／Ｎａｃｋを生成する（ステップＳ３０５）。【０１４５】
そして、ＰＵＣＣＨ生成部１６は、各ＣＢＧグループのＡｃｋ／Ｎａｃｋに変調処理及び符号化処理を施し、受信応答の通常無線リソースの一部の無線リソースを割り当てる（ステップＳ３０６）。【０１４６】
これに対して、無線リソース割当要求がある場合（ステップＳ３０３：否定）、ＰＵＣＣＨ生成部１６は、取得した受信応答に変調処理及び符号化処理を施し、かくＣＢＧのＡｃｋ／Ｎａｃｋを含む受信応答に通常無線リソースを全て割り当てる（ステップＳ３０７）。【０１４７】
その後、ＰＵＣＣＨ生成部１６は、無線リソースの割り当てにしたがってＰＵＣＣＨへ変調処理及び符号化処理が施された信号を配置する（ステップＳ３０８）。そして、ＰＵＣＣＨ生成部１６は、変調処理及び符号化処理が施された信号を無線部１１へ出力する。【０１４８】
無線部１１は、変調処理及び符号化処理が施された信号の入力をＰＵＣＣＨ生成部１６から受ける。そして、無線部１１は、変調処理及び符号化処理が施された信号に対してＤＡ変換を行いアンテナを介して端末装置１へ向けて送信する（ステップＳ３０９）。【０１４９】
以上に説明したように、本実施例に係る端末装置は、ＣＢＧをまとめたＣＢＧグループに対するＡｃｋ／Ｎａｃｋを基地局装置に通知する。これにより、Ａｃｋ／Ｎａｃｋのフィードバック情報や無線リソース割当要求等を含む情報を効率的に送信することができる。また、実施例１に比べてより送信電力を低減することができる。
【実施例４】
【０１５０】
次に、実施例４について説明する。本実施例に係る端末装置は、実施例２の機能と実施例３の機能とをまとめた機能を有する。本実施例に係る端末装置も図１のブロック図で表される。以下の説明では、実施例１と同様の各部の機能については説明を省略する。【０１５１】
同時送信の場合の本実施例に係るＰＵＣＣＨ生成部１６による処理について説明する。図１７は、実施例４に係るＰＵＣＣＨ生成部により生成されるＣＢＧグループ、並びに、直接通知ＣＢＧ及び間接通知ＣＢＧの一例を示す図である。ここでは、ＣＢＧ＃１〜＃８が存在する場合で説明する。ＰＵＣＣＨ生成部１６は、ＡＣＫ／ＮＡＣＫ生成部１４から取得した受信応答から各ＣＢＧ＃１〜＃８に対するＡｃｋ／Ｎａｃｋの情報を取得する。【０１５２】
ここで、ＰＵＣＣＨ生成部１６は、予めＣＢＧ＃１〜＃８をどのようにグループ化するかの情報を予め有する。そして、ＰＵＣＣＨ生成部１６は、予め決められた情報にしたがい、ＣＢＧ＃１〜＃８をグループ化する。例えば、図１７にＰＵＣＣＨ生成部１６は、ＣＢＧ＃１及び＃２、ＣＢＧ＃３及び＃４、ＣＢＧ＃５及び＃６、並びに、ＣＢＧ＃７及び＃８をそれぞれまとめてＣＢＧグループ＃＃１〜＃＃４を生成する。この場合、ＰＵＣＣＨ生成部１６は、それぞれのＣＢＧグループ＃＃１〜＃＃４のＡｃｋ／Ｎａｃｋは、各グループに含まれるＣＢＧ１１０のＡｃｋ／Ｎａｃｋの論理和とする。【０１５３】
さらに、ＰＵＣＣＨ生成部１６は、ＣＢＧグループ＃＃１及び＃＃２を直接通知ＣＢＧグループ４０３とする。また、ＰＵＣＣＨ生成部１６は、ＣＢＧグループ＃＃３及び＃＃４を間接通知ＣＢＧグループ４０４とする。【０１５４】
ＰＵＣＣＨ生成部１６は、図１８に示す使用リソーステーブル４１１を有する。図１８は、使用リソーステーブルの一例を表す図である。ここで、本実施例では、ＰＵＣＣＨ生成部１６は、使用リソースブロックを登録したテーブルを用いたが、実施例２と同様に未使用リソースブロックを登録したテーブルを用いてもよい。そして、ＰＵＣＣＨ生成部１６は、使用リソーステーブル４１１を用いて、間接通知ＣＢＧグループ４０４であるＣＢＧグループ＃＃３及び＃＃４のＡｃｋ／Ｎａｃｋの情報を表す使用リソースブロックを特定する。例えば、図１７に示すＣＢＧグループ＃＃１〜＃＃４に対するＡｃｋ／Ｎａｃｋが図１７に示す状態である場合、リソースブロック３０３が使用リソースブロックとなる。【０１５５】
そして、ＰＵＣＣＨ生成部１６は、図１９の割当状態３１６に示すように、受信応答の通常無線リソースの内の予め決められた一部のリソースブロックをＣＢＧグループ＃＃１及び＃＃２のＡｃｋ／Ｎａｃｋを表す受信応答に割り当てる。図１９は、実施例４に係る端末装置による無線リソースの割り当てを表す図である。ここでは、ＰＵＣＣＨ生成部１６は、使用リソースブロックとして特定されたリソースブロック３０２をＣＢＧグループ＃＃１及び＃＃２のＡｃｋ／Ｎａｃｋを表す受信応答に割り当て、リソースブロック３０１、３０３及び３０４を未使用リソースブロックとする。【０１５６】
このように無線リソースの割り当てを行うことで、ＰＵＣＣＨ生成部１６は、通常無線リソースの中にＡｃｋ／Ｎａｃｋを送信しない未使用リソースブロックを含ませることで基地局装置２にＳＲの発生を通知する。また、ＰＵＣＣＨ生成部１６は、送信する信号を減らす。【０１５７】
さらに、ＰＵＣＣＨ生成部１６は、送信する無線リソース割当要求が、第１バッファ１８１又は第２バッファ１８２のいずれに格納された送信データのための無線リソース割当要求かにより送信電力密度を変更する。【０１５８】
その後、ＰＵＣＣＨ生成部１６は、割当てた無線リソースを用いて決定した送信電力密度で無線部１１を介して受信応答のデータを基地局装置２へ送信する。これにより、ＰＵＣＣＨ生成部１６は、各ＣＢＧ１１０のＡｃｋ／Ｎａｃｋの情報とともに無線リソース割当要求の発生を基地局装置２へ通知する。【０１５９】
ここで、本実施例においても、同時送信の場合であっても、通常割当状態の割り当てで送信電力が不足しなければ、ＰＵＣＣＨ生成部１６は、通常割当状態の無線リソースの割り当てを行ってもよい。【０１６０】
本実施例に係る基地局装置２も、図８のブロック図で表される。以下の説明では、実施例１と同様の各部の機能については説明を省略する。【０１６１】
上り信号ベースバンド処理部２５は、端末装置１のＰＵＣＣＨ生成部１６と同様に、各ＣＢＧグループ＃＃１〜＃＃４に含まれるＣＢＧ１１０の情報を予め有する。また、上り信号ベースバンド処理部２５は、直接通知ＣＢＧグループ４０３に対するＡｃｋ／Ｎａｃｋが配置される位置を予め有する。【０１６２】
上り信号ベースバンド処理部２５は、端末装置１が送信した信号を無線部２６から受信する。そして、上り信号ベースバンド処理部２５は、受信した信号に対して復号化処理及び復調処理を施す。そして、上り信号ベースバンド処理部２５は、受信した信号における無線リソース２２０に未使用リソースブロックが含まれている場合、上り信号ベースバンド処理部２５は、無線リソース割当要求の発生を把握する。次に、上り信号ベースバンド処理部２５は、受信応答の通常無線リソースである無線リソース２２０における予め決められたリソースブロックから直接通知ＣＢＧグループ４０３に対するＡｃｋ／Ｎａｃｋの情報を取得する。次に、上り信号ベースバンド処理部２５は、直接通知ＣＢＧグループ４０３に対するＡｃｋ／Ｎａｃｋが配置されていた位置から、間接通知ＣＢＧグループ４０４のＡｃｋ／Ｎａｃｋを求める。その後、上り信号ベースバンド処理部２５は、ＣＢＧグループ＃＃１〜＃＃４に対するＡｃｋ／Ｎａｃｋの情報から、各ＣＢＧ＃１〜＃６に対するＡｃｋ／Ｎａｃｋを取得する。【０１６３】
以上に説明したように、本実施例に係る端末装置は、ＣＢＧをまとめたＣＢＧグループを直接通知ＣＢＧグループと間接通知ＣＢＧグループに分ける。そして、本実施例に係る端末装置は、直接通知ＣＢＧグループに対するＡｃｋ／Ｎａｃｋを基地局装置に通知することで、間接通知ＣＢＧグループに対するＡｃｋ／Ｎａｃｋも通知する。これにより、Ａｃｋ／Ｎａｃｋのフィードバック情報や無線リソース割当要求等を含む情報を効率的に送信することができる。また、実施例１に比べてより送信電力を低減することができる。
【実施例５】
【０１６４】
次に、実施例５について説明する。本実施例に係る端末装置は、同時送信時に無線リソース割当要求はそのままで、ＣＢＧを直接通知ＣＢＧと間接通知ＣＢＧに分けて、直接通知ＣＢＧに対するＡｃｋ／Ｎａｃｋの位置で間接通知ＣＢＧのＡｃｋ／Ｎａｃｋを通知する。本実施例に係る端末装置も図１のブロック図で表される。以下の説明では、実施例１と同様の各部の機能については説明を省略する。【０１６５】
図２０は、実施例５に係る端末装置による無線リソースの割り当てを表す図である。図２０における割当状態３２１〜３２３は、それぞれ縦方向で周波数を表し横方向で時間を表す。【０１６６】
本実施例においても、ＰＵＣＣＨ生成部１６は、同時送信でないときに受信応答を送る場合、割当状態３２１に示すように、通常無線リソースの全てを受信応答に割り当てる。【０１６７】
これに対して、同時送信の場合、ＰＵＣＣＨ生成部１６は、割当状態３２２における無線リソース割当要求の通常無線リソースである無線リソース２１０を無線リソース割当要求に割り当てる。また、ＰＵＣＣＨ生成部１６は、ＣＢＧ１１０を直接通知ＣＢＧ４０１と間接通知ＣＢＧ４０２とに分ける。そして、ＰＵＣＣＨ生成部１６は、間接通知ＣＢＧ４０２のＡｃｋ／Ｎａｃｋを表すように割当状態３２２における無線リソース２２０の一部を直接通知ＣＢＧ４０１のＡｃｋ／Ｎａｃｋに割り当てる。【０１６８】
これにより、ＰＵＣＣＨ生成部１６は、リソースブロック３０１、３０２及び３０４を直接通知ＣＢＧ４０１のＡｃｋ／Ｎａｃｋに割り当てる。この場合、ＰＵＣＣＨ生成部１６は、リソースブロック３０３を未使用リソースブロックとすることで、間接通知ＣＢＧ４０２のＡｃｋ／Ｎａｃｋを通知する。【０１６９】
このように、ＰＵＣＣＨ生成部１６は、通常無線リソースの中にＡｃｋ／Ｎａｃｋを送信しない未使用リソースブロックを含ませることで送信する信号を減らし、送信電力を削減する。【０１７０】
さらに、ＰＵＣＣＨ生成部１６は、送信する無線リソース割当要求が、第１バッファ１８１又は第２バッファ１８２のいずれに格納された送信データのための無線リソース割当要求かにより、無線リソース２１０の送信電力密度を変更する。その後、ＰＵＣＣＨ生成部１６は、割当てた無線リソースを用いて決定した送信電力密度で無線部１１を介して無線リソース割当要求及び受信応答のデータを基地局装置２へ送信する。【０１７１】
ここで、本実施例においても、同時送信の場合であっても、通常割当状態の割り当てで送信電力が不足しなければ、ＰＵＣＣＨ生成部１６は、割当状態３２３に示すように、通常割当状態の無線リソースの割り当てを行ってもよい。【０１７２】
本実施例に係る基地局装置２も、図８のブロック図で表される。以下の説明では、実施例１と同様の各部の機能については説明を省略する。【０１７３】
上り信号ベースバンド処理部２５は、端末装置１が送信した信号を無線部２６から受信する。そして、上り信号ベースバンド処理部２５は、受信した信号に対して復号化処理及び復調処理を施す。そして、上り信号ベースバンド処理部２５は、受信した信号から同時送信か否かを判定する。同時送信でなければ、上り信号ベースバンド処理部２５は、無線リソース割当要求又は各ＣＢＧ１１０のＡｃｋ／Ｎａｃｋを取得する。【０１７４】
これに対して、同時受信の場合、まず、上り信号ベースバンド処理部２５は、無線リソース割当要求を取得する。次に、上り信号ベースバンド処理部２５は、受信した信号における無線リソース２２０から直接通知ＣＢＧ４０１に対するＡｃｋ／Ｎａｃｋの情報を取得する。さらに、上り信号ベースバンド処理部２５は、直接通知ＣＢＧ４０１の配置状態から間接通知ＣＢＧ４０２のＡｃｋ／Ｎａｃｋを求める。【０１７５】
その後、上り信号ベースバンド処理部２５は、各ＣＢＧ１１０に対するＡｃｋ／Ｎａｃｋの情報をスケジューラ２３へ出力する。また、無線リソース割当要求が発生したと判定した場合、上り信号ベースバンド処理部２５は、無線リソース割当要求の発生をスケジューラ２３に通知する。【０１７６】
以上に説明したように、本実施例に係る端末装置は、無線リソース割当要求は通常無線リソースを用いて送信し、直接通知ＣＢＧと間接通知ＣＢＧとを用いて受信応答を送信する。これにより、Ａｃｋ／Ｎａｃｋのフィードバック情報や無線リソース割当要求等を含む情報を効率的に送信することができる。また、送信電力を低減することができる。【０１７７】
また、以上では、無線リソース割当要求と受信応答との同時送信時の送信電力の削減について説明したが、他の信号の同時送信における送信電力の削減であっても、上述した方法を用いて実現することができる。例えば、受信応答として、ＵＲＬＬＣ向けの優先度の高い受信応答とＥＭＢＢ向けの優先度の低い受信応答がある場合にも、上述した方法を用いて送信電力を削減ることができる。【０１７８】
例えば、ＰＵＣＣＨ生成部１６は、上述した無線リソース割当要求と同様に、ＵＲＬＬＣ向けの受信応答に通常無線リソースを割り当てる。また、ＰＵＣＣＨ生成部１６は、上述した受信応答と同様に、直接通知ＣＢＧ４０１と間接通知ＣＢＧ４０２を用いてＥＭＢＢ向けの受信応答を送信する。これにより、ＰＵＣＣＨ生成部１６は、ＥＭＢＢ向けの受信応答に使用するビット数を減らすことができ、送信電力を削減することができる。また、ＰＵＣＣＨ生成部１６は、削減した電力をＵＲＬＬＣ向けの受信応答に振り分けることもでき、ＵＲＬＬＣ向けの受信応答の信頼性を向上させることができる。【０１７９】
さらに、無線リソース割当要求、ＵＲＬＬＣ向け受信応答及びＥＭＢＢ向け受信応答の同時送信においても同様の方法を用いることができる。この場合、ＰＵＣＣＨ生成部１６は、上述した無線リソース割当要求と同様に、無線リソース割当要求及びＵＲＬＬＣ向けの受信応答に通常無線リソースを割り当てる。また、ＰＵＣＣＨ生成部１６は、上述した受信応答と同様に、直接通知ＣＢＧ４０１と間接通知ＣＢＧ４０２を用いてＥＭＢＢ向けの受信応答を送信する。これにより、ＰＵＣＣＨ生成部１６は、ＥＭＢＢ向けの受信応答に使用するビット数を減らすことができ、送信電力を削減することができる。また、ＰＵＣＣＨ生成部１６は、削減した電力を無線リソース割当要求やＵＲＬＬＣ向けの受信応答に振り分けることもでき、それぞれの信頼性を向上させることができる。
【実施例６】
【０１８０】
次に、実施例６について説明する。本実施例に係る端末装置は、実施例５と同様に同時送信時に無線リソース割当要求はそのままで送信する。そして、本実施例に係る端末装置は、ＣＢＧをグループ化して、各ＣＢＧグループに対するＡｃｋ／Ｎａｃｋを通知する。本実施例に係る端末装置も図１のブロック図で表される。以下の説明では、実施例１と同様の各部の機能については説明を省略する。【０１８１】
同時送信の場合のＰＵＣＣＨ生成部１６による処理について説明する。図２１は、実施例６に係るＰＵＣＣＨ生成部により生成されるＣＢＧグループの一例を示す図である。ここでは、ＣＢＧ＃１〜＃６が存在する場合で説明する。ＰＵＣＣＨ生成部１６は、ＡＣＫ／ＮＡＣＫ生成部１４から取得した受信応答から各ＣＢＧ＃１〜＃６に対するＡｃｋ／Ｎａｃｋの情報を取得する。【０１８２】
ここで、ＰＵＣＣＨ生成部１６は、予めＣＢＧ＃１〜＃６をどのようにグループ化するかの情報を予め有する。そして、ＰＵＣＣＨ生成部１６は、予め決められた情報にしたがい、ＣＢＧ＃１〜＃６をグループ化する。例えば、図２１に示すように、ＰＵＣＣＨ生成部１６は、ＣＢＧ＃１〜＃３及びＣＢＧ＃４〜＃６をそれぞれまとめてＣＢＧグループ＃＃１及び＃＃２を生成する。【０１８３】
この場合、ＰＵＣＣＨ生成部１６は、それぞれのＣＢＧグループ＃＃１〜＃＃２のＡｃｋ／Ｎａｃｋを、各グループに含まれるＣＢＧ１１０のＡｃｋ／Ｎａｃｋの論理和とする。【０１８４】
そして、ＰＵＣＣＨ生成部１６は、図２２の割当状態３２４に示すように、無線リソース割当要求の通常無線リソースである無線リソース２１０を無線リソース割当要求に割り当てる。また、ＰＵＣＣＨ生成部１６は、受信応答の通常無線リソースの内の予め決められた一部のリソースブロックをＣＢＧグループ＃＃１及び＃＃２のＡｃｋ／Ｎａｃｋを表す受信応答に割り当てる。図２２は、実施例６に係る端末装置による無線リソースの割り当てを表す図である。ここでは、ＰＵＣＣＨ生成部１６は、無線リソース２２０のリソースブロック３０３をＣＢＧグループ＃＃１及び＃＃２のＡｃｋ／Ｎａｃｋを表す受信応答に割り当て、リソースブロック３０１及び３０２を未使用リソースブロックとする。【０１８５】
このように、ＰＵＣＣＨ生成部１６は、通常無線リソースの中にＡｃｋ／Ｎａｃｋを送信しない未使用リソースブロックを含ませることで送信する信号を減らし、送信電力を削減する。【０１８６】
さらに、ＰＵＣＣＨ生成部１６は、送信する無線リソース割当要求が、第１バッファ１８１又は第２バッファ１８２のいずれに格納された送信データのための無線リソース割当要求かにより送信電力密度を変更する。【０１８７】
その後、ＰＵＣＣＨ生成部１６は、割当てた無線リソースを用いて決定した送信電力密度で無線部１１を介して受信応答のデータを基地局装置２へ送信する。これにより、ＰＵＣＣＨ生成部１６は、各ＣＢＧ１１０のＡｃｋ／Ｎａｃｋの情報とともに無線リソース割当要求の発生を基地局装置２へ送信する。【０１８８】
ここで、本実施例においても、同時送信の場合であっても、通常割当状態の割り当てで送信電力が不足しなければ、ＰＵＣＣＨ生成部１６は、通常割当状態の無線リソースの割り当てを行ってもよい。【０１８９】
さらに、ＰＵＣＣＨ生成部１６は、送信する無線リソース割当要求が、第１バッファ１８１又は第２バッファ１８２のいずれに格納された送信データのための無線リソース割当要求かにより、無線リソース２１０の送信電力密度を変更する。その後、ＰＵＣＣＨ生成部１６は、割当てた無線リソースを用いて決定した送信電力密度で無線部１１を介して無線リソース割当要求及び受信応答のデータを基地局装置２へ送信する。【０１９０】
ここで、本実施例においても、同時送信の場合であっても、通常割当状態の割り当てで送信電力が不足しなければ、ＰＵＣＣＨ生成部１６は、通常割当状態の無線リソースの割り当てを行ってもよい。【０１９１】
以上に説明したように、本実施例に係る端末装置は、無線リソース割当要求は通常無線リソースを用いて送信し、ＣＢＧグループを用いて受信応答を送信する。これにより、Ａｃｋ／Ｎａｃｋのフィードバック情報や無線リソース割当要求等を含む情報を効率的に送信することができる。また、送信電力を低減することができる。【０１９２】
また、以上では、無線リソース割当要求と受信応答との同時送信時の送信電力の削減について説明したが、実施例５と同様に他の信号の同時送信における送信電力の削減であっても、上述した方法を用いて実現することができる。例えば、受信応答として、ＵＲＬＬＣ向けの優先度の高い受信応答とＥＭＢＢ向けの優先度の低い受信応答がある場合にも、上述した方法を用いて送信電力を削減ることができる。【０１９３】
例えば、ＰＵＣＣＨ生成部１６は、上述した無線リソース割当要求と同様に、ＵＲＬＬＣ向けの受信応答に通常無線リソースを割り当てる。また、ＰＵＣＣＨ生成部１６は、上述した受信応答と同様に、ＣＢＧグループを用いてＥＭＢＢ向けの受信応答を送信する。これにより、ＰＵＣＣＨ生成部１６は、ＥＭＢＢ向けの受信応答に使用するビット数を減らすことができ、送信電力を削減することができる。また、ＰＵＣＣＨ生成部１６は、削減した電力をＵＲＬＬＣ向けの受信応答に振り分けることもでき、ＵＲＬＬＣ向けの受信応答の信頼性を向上させることができる。【０１９４】
さらに、無線リソース割当要求、ＵＲＬＬＣ向け受信応答及びＥＭＢＢ向け受信応答の同時送信においても同様の方法を用いることができる。
【実施例７】
【０１９５】
次に、実施例７について説明する。本実施例に係る端末装置は、実施例５と同様に同時送信時に無線リソース割当要求はそのままで送信する。そして、本実施例に係る端末装置は、受信応答を送信するリソースブロックの中でＮａｃｋの情報をより多く含むリソースブロックを未送信リソースブロックとする。本実施例に係る端末装置も図１のブロック図で表される。以下の説明では、実施例１と同様の各部の機能については説明を省略する。【０１９６】
同時送信の場合のＰＵＣＣＨ生成部１６による処理について説明する。図２３は、各リソースブロックにおけるＮａｃｋの数の算出を説明するための図である。ここでは、ＣＢＧ＃１〜＃６が存在する場合で説明する。【０１９７】
ＰＵＣＣＨ生成部１６は、例えば、図２３のＡｃｋ／Ｎａｃｋ情報４２１に示されるＣＢＧ＃１〜＃６のそれぞれに対するＡｃｋ／Ｎａｃｋの情報を取得する。次に、ＰＵＣＣＨ生成部１６は、通常割当状態において各ＣＢＧ＃１〜＃６に対するＡｃｋ／Ｎａｃｋの情報に割り当てられるリソースブロック３０１〜３０３を特定する。ここでは、表４２２に示すように、ＣＢＧ＃１及び＃２にリソースブロック３０１が割り当てられる。また、ＣＢＧ＃３及び＃４にリソースブロック３０２が割り当てられる。また、ＣＢＧ＃５及び＃６にリソースブロック３０３が割り当てられる。【０１９８】
次に、ＰＵＣＣＨ生成部１６は、リソースブロック３０１〜３０３のそれぞれに対応するＣＢＧ＃１〜＃６のＮａｃｋの数を取得する。ここでは、リソースブロック３０１におけるＮａｃｋの数は２であり、リソースブロック３０２におけるＮａｃｋの数は０であり、リソースブロック３０３におけるＮａｃｋの数は１である。【０１９９】
そして、ＰＵＣＣＨ生成部１６は、Ｎａｃｋの数の最も多いリソースブロック３０１を未使用リソースブロックとする。そして、ＰＵＣＣＨ生成部１６は、図２４の割当状態３２５に示すように無線リソースを割り当てる。図２４は、実施例７に係る端末装置による無線リソースの割り当てを表す図である。【０２００】
具体的には、ＰＵＣＣＨ生成部１６は、無線リソース割当要求の通常無線リソースである無線リソース２１０を無線リソース割当要求に割り当てる。また、ＰＵＣＣＨ生成部１６は、未使用リソースブロックとしたリソースブロック３０１以外のリソースブロック３０２及び３０３を用いて通常割当状態と同様の割り当てを行う。【０２０１】
このように、ＰＵＣＣＨ生成部１６は、通常無線リソースの中にＡｃｋ／Ｎａｃｋを送信しない未使用リソースブロックを含ませることで送信する信号を減らし、送信電力を削減する。【０２０２】
さらに、ＰＵＣＣＨ生成部１６は、送信する無線リソース割当要求が、第１バッファ１８１又は第２バッファ１８２のいずれに格納された送信データのための無線リソース割当要求かにより送信電力密度を変更する。【０２０３】
その後、ＰＵＣＣＨ生成部１６は、割当てた無線リソースを用いて決定した送信電力密度で無線部１１を介して受信応答のデータを基地局装置２へ送信する。これにより、ＰＵＣＣＨ生成部１６は、ＣＢＧ＃１及び＃２のＡｃｋ／Ｎａｃｋの情報以外の各ＣＢＧ＃３〜＃４のＡｃｋ／Ｎａｃｋの情報とともに無線リソース割当要求を基地局装置２へ送信する。【０２０４】
Ｎａｃｋが返された場合、基地局装置２はＮａｃｋが返されたデータの再送を行う。また、応答が返ってこない場合も、基地局装置２は応答が返ってこないデータの再送を行う。すなわち、端末装置１がＮａｃｋを返さなくても、基地局装置２によりデータの再送が行われるので、Ｎａｃｋを多く含むリソースブロックでＡｃｋ／Ｎａｃｋを返さなくても、Ａｃｋ／Ｎａｃｋを返した場合とほぼ同様の処理が行われるといえる。そのため、本実施例ではＰＵＣＣＨ生成部１６は、Ｎａｃｋを多く含むリソースブロックを未使用リソースブロックとしている。【０２０５】
ここで、本実施例においても、同時送信の場合であっても、通常割当状態の割り当てで送信電力が不足しなければ、ＰＵＣＣＨ生成部１６は、通常割当状態の無線リソースの割り当てを行ってもよい。【０２０６】
さらに、ＰＵＣＣＨ生成部１６は、送信する無線リソース割当要求が、第１バッファ１８１又は第２バッファ１８２のいずれに格納された送信データのための無線リソース割当要求かにより、無線リソース２１０の送信電力密度を変更する。その後、ＰＵＣＣＨ生成部１６は、割当てた無線リソースを用いて決定した送信電力密度で無線部１１を介して無線リソース割当要求及び受信応答のデータを基地局装置２へ送信する。【０２０７】
ここで、本実施例においても、同時送信の場合であっても、通常割当状態の割り当てで送信電力が不足しなければ、ＰＵＣＣＨ生成部１６は、通常割当状態の無線リソースの割り当てを行ってもよい。【０２０８】
次に、図２５を参照して、本実施例に係る端末装置１による受信応答及び無線リソース割当要求の送信の流れについて説明する。図２５は、実施例７に係る端末装置による受信応答及び無線リソース割当要求の送信のフローチャートである。ここでは、基地局装置２から無線信号を受信した場合を例に説明する。【０２０９】
ＰＤＳＣＨ受信処理部１３は、無線部１１及びＰＤＣＣＨ受信処理部１２を介して、基地局装置２から送信された信号を受信する（ステップＳ４０１）。【０２１０】
ＡＣＫ／ＮＡＣＫ生成部１４は、ＰＤＣＣＨ受信処理部１２による信号の受信における、ＣＢＧ１１０毎の信号受信の成否を取得する。そして、ＡＣＫ／ＮＡＣＫ生成部１４は、取得したＣＢＧ１１０毎の信号受信の成否に応じて、各ＣＢＧ１１０に対するＡｃｋ／Ｎａｃｋを含む受信応答を生成する（ステップＳ４０２）。そして、ＡＣＫ／ＮＡＣＫ生成部１４は、生成した受信応答をＰＵＣＣＨ生成部１６へ出力する。【０２１１】
ＰＵＣＣＨ生成部１６は、各ＣＢＧ１１０に対するＡｃｋ／Ｎａｃｋを含む受信応答の入力をＡＣＫ／ＮＡＣＫ生成部１４から受ける。さらに、ＰＵＣＣＨ生成部１６は、無線リソース割当要求をＳＲ生成部１５から取得したか否かにより、無線リソース割当要求があるか否かを判定する（ステップＳ４０３）。【０２１２】
無線リソース割当要求がある場合（ステップＳ４０３：肯定）、ＰＵＣＣＨ生成部１６は、通常割当状態で無線リソース２２０の各リソースブロック３０１〜３０３に含まれるＮａｃｋの数を特定する（ステップＳ４０４）。【０２１３】
さらに、ＰＵＣＣＨ生成部１６は、Ｎａｃｋの数の多い順に未送信リソースブロックを決定する（ステップＳ４０５）。【０２１４】
そして、ＰＵＣＣＨ生成部１６は、通常割当状態で未送信ブロックに割り当てられる送信しないＡｃｋ／Ｎａｃｋを除いた受信応答に未使用リソースブブロック以外のリソースブロック３０２及び３０３を割り当てる（ステップＳ４０６）。【０２１５】
これに対して、無線リソース割当要求がない場合（ステップＳ４０３：否定）、ＰＵＣＣＨ生成部１６は、取得した受信応答に変調処理及び符号化処理を施し、生成した受信応答に通常無線リソースを全て割り当てる（ステップＳ４０７）。【０２１６】
その後、ＰＵＣＣＨ生成部１６は、無線リソースの割り当てにしたがってＰＵＣＣＨへ変調処理及び符号化処理が施された信号を配置する（ステップＳ４０８）。そして、ＰＵＣＣＨ生成部１６は、変調処理及び符号化処理が施された信号を無線部１１へ出力する。【０２１７】
無線部１１は、変調処理及び符号化処理が施された信号の入力をＰＵＣＣＨ生成部１６から受ける。そして、無線部１１は、変調処理及び符号化処理が施された信号に対してＤＡ変換を行いアンテナを介して端末装置１へ向けて送信する（ステップＳ４０９）。【０２１８】
以上に説明したように、本実施例に係る端末装置は、通常無線リソースを用いて無線リソース割当要求を送信し、受信応答のうちＮａｃｋを多く含むリソースブロックを未使用リソースブロックとして受信応答を送信する。これにより、Ａｃｋ／Ｎａｃｋのフィードバック情報や無線リソース割当要求等を含む情報を効率的に送信することができる。また、送信電力を低減することができる。【０２１９】
また、以上では、無線リソース割当要求と受信応答との同時送信時の送信電力の削減について説明したが、実施例５と同様に他の信号の同時送信における送信電力の削減であっても、上述した方法を用いて実現することができる。例えば、受信応答として、ＵＲＬＬＣ向けの優先度の高い受信応答とＥＭＢＢ向けの優先度の低い受信応答がある場合にも、上述した方法を用いて送信電力を削減ることができる。【０２２０】
例えば、ＰＵＣＣＨ生成部１６は、上述した無線リソース割当要求と同様に、ＵＲＬＬＣ向けの受信応答に通常無線リソースを割り当てる。また、ＰＵＣＣＨ生成部１６は、上述した受信応答と同様に、ＥＭＢＢ向けの受信応答に割り当てられるリソースブロックのうちＮａｃｋの多いリソースブロックを未送信リソースブロックとする。これにより、ＰＵＣＣＨ生成部１６は、ＥＭＢＢ向けの受信応答に使用するビット数を減らすことができ、送信電力を削減することができる。また、ＰＵＣＣＨ生成部１６は、削減した電力をＵＲＬＬＣ向けの受信応答に振り分けることもでき、ＵＲＬＬＣ向けの受信応答の信頼性を向上させることができる。【０２２１】
さらに、無線リソース割当要求、ＵＲＬＬＣ向け受信応答及びＥＭＢＢ向け受信応答の同時送信においても同様の方法を用いることができる。
【実施例８】
【０２２２】
次に、実施例８について説明する。本実施例に係る端末装置は、異なる種類の無線リソース割当要求を同時に送信することが実施例１〜７と異なる。本実施例に係る端末装置も図１のブロック図で表される。以下の説明では、各実施例と同様の各部の機能については説明を省略する。【０２２３】
図２６は、実施例８に係る種類の異なる無線リソース割当要求に対する無線リソースの割り当てを表す図である。図２６の縦方向は周波数を表し、横方向は時間を表す。種類の異なる無線リソース割当要求には、それぞれ無線リソース２１１と無線リソース２１２とが割り当てられる。そして、種類の異なる無線リソース割当要求を同じタイミングで送信する場合、無線リソース２１１と無線リソース２１２とは時間方向に重なる。また、種類の異なる無線リソース割当要求と受信応答とを同じタイミングで送信する場合、無線リソース２１１、無線リソース２１２及び無線リソース２２０とは時間方向に重なる。そのため、同時送信の場合には送信電力が大きくなる。そこで、本実施例に係る端末装置１は、以下の方法で送信電力を低減させる。【０２２４】
端末装置１が、実施例１〜４の何れかと同様の機能を有する場合について説明する。本実施例に係るＰＵＣＣＨ生成部１６は、第１バッファ１８１及び第２バッファ１８２に格納された送信データのそれぞれの無線リソース割当要求をＳＲ生成部１５から取得する。すなわち、ＰＵＣＣＨ生成部１６は、高優先度の無線リソース割当要求と低優先度の無線リソース割当要求を取得する。【０２２５】
ＰＵＣＣＨ生成部１６は、同時送信の場合、第２バッファ１８２に格納された送信データに対する低優先度の無線リソース割当要求の送信を次回の送信機会へ延期する。そして、第１バッファ１８１に格納された送信データに対する高優先度の無線リソース割当要求と受信応答との同時送信を、実施例１〜３の何れかの方法を用いて実行する。【０２２６】
また、高優先度の無線リソース割当要求と低優先度の無線リソース割当要求の何れかを取得した場合、ＰＵＣＣＨ生成部１６は、実施例１〜３の何れかの方法を用いて無線リソース割当要求と受信応答との同時送信を実行する。【０２２７】
端末装置１が、実施例５〜７の何れかと同様の機能を有する場合について説明する。本実施例に係るＰＵＣＣＨ生成部１６は、第１バッファ１８１及び第２バッファ１８２に格納された送信データのそれぞれの無線リソース割当要求をＳＲ生成部１５から取得する。【０２２８】
ＰＵＣＣＨ生成部１６は、同時送信の場合、第２バッファ１８２に格納された送信データに対する低優先度の無線リソース割当要求の送信を次回の送信機会へ延期する。そして、第１バッファ１８１に格納された送信データに対する高優先度の無線リソース割当要求と受信応答との同時送信を、実施例１〜３の何れかの方法を用いて実行する。【０２２９】
また、低優先度の無線リソース割当要求なしで高優先度の無線リソース割当要求を取得した場合、ＰＵＣＣＨ生成部１６は、実施例５〜７の何れかの方法を用いて無線リソース割当要求と受信応答との同時送信を実行する。これに対して、高優先度の無線リソース割当要求なしで低優先度の無線リソース割当要求を取得した場合、ＰＵＣＣＨ生成部１６は、低優先度の無線リソース割当要求の送信を次回の送信機会へ延期する。そして、ＰＵＣＣＨ生成部１６は、受信応答に通常無線リソースを割り当て送信する。【０２３０】
以上に説明したように、本実施例に係る端末装置は、種類の異なる無線リソース割当要求が同時に発生した場合に、低優先度の無線リソース割当要求の送信を延期した上で、実施例１〜７で説明した何れかの方法で消費電力の低減を図る。これにより、種類の異なる無線リソース割当要求を取り扱う端末装置においても、Ａｃｋ／Ｎａｃｋのフィードバック情報や無線リソース割当要求等を含む情報を効率的に送信することができる。また、送信電力を低減することができる。
【実施例９】
【０２３１】
次に、実施例９について説明する。本実施例に係る端末装置は、種類の異なる無線リソース割当要求を取扱い、且つ、ＰＵＣＣＨにおいて使用された無線リソースのパターンに応じて無線リソース割当要求の種類を通知することが実施例１と異なる。本実施例に係る端末装置も図１のブロック図で表される。以下の説明では、各実施例と同様の各部の機能については説明を省略する。【０２３２】
本実施例に係るＰＵＣＣＨ生成部１６は、第１バッファ１８１及び第２バッファ１８２のいずれかに格納された送信データの無線リソース割当要求をＳＲ生成部１５から取得する。【０２３３】
そして、ＰＵＣＣＨ生成部１６は、高優先度の無線リソース割当要求の場合、図２７の割当状態３３１に示すようにリソースブロック３０２を未使用リソースとする。そして、リソースブロック３００、３０１及び３０３を受信応答に割り当てる。図２７は、実施例９に係る端末装置による無線リソースの割り当てを表す図である。この場合、ＰＵＣＣＨ生成部１６は、同時送信でない場合に受信応答を送信するときより高く送信電力密度を設定する。【０２３４】
また、ＰＵＣＣＨ生成部１６は、低優先度の無線リソース割当要求の場合、図２７の割当状態３３２に示すようにリソースブロック３０１を未使用リソースとする。そして、リソースブロック３００、３０２及び３０３を受信応答に割り当てる。この場合、ＰＵＣＣＨ生成部１６は、同時送信でない場合に受信応答を送信するときと同等に送信電力密度を設定する。【０２３５】
基地局装置２の上り信号ベースバンド処理部２５は、端末装置１から送信された信号を受信する。そして、基地局装置２の上り信号ベースバンド処理部２５は、受信信号のＰＵＣＣＨにおいて受信応答を取得し、各ＣＢＧ１１０のＡｃｋ／Ｎａｃｋを取得する。さらに、上り信号ベースバンド処理部２５は、ＰＵＣＣＨにおける受信応答の送信に用いられたリソースブロックを確認する。そして、リソースブロック３０２が未使用リソースブロックの場合、上り信号ベースバンド処理部２５は、高優先度の無線リソースが発生したと判定する。また、リソースブロック３０１が未使用リソースブロックの場合、上り信号ベースバンド処理部２５は、低優先度の無線リソースが発生したと判定する。【０２３６】
以上に説明したように、本実施例に係る端末装置は、ＰＵＣＣＨにおける使用リソースブロックのパターンに応じて無線リソース割当要求の種類を通知する。これにより、Ａｃｋ／Ｎａｃｋのフィードバック情報や無線リソース割当要求等を含む情報を効率的に送信することができる。
【実施例１０】
【０２３７】
次に、実施例１０について説明する。本実施例に係る端末装置は、種類の異なる無線リソース割当要求を取扱い、且つ無線リソース割当要求の種類に応じて実施例１の機能と実施例２の機能とを切り替えて使用する。本実施例に係る端末装置も図１のブロック図で表される。以下の説明では、各実施例と同様の各部の機能については説明を省略する。【０２３８】
本実施例に係るＰＵＣＣＨ生成部１６は、第１バッファ１８１及び第２バッファ１８２のいずれかに格納された送信データの無線リソース割当要求をＳＲ生成部１５から取得する。【０２３９】
ＰＵＣＣＨ生成部１６は、高優先度の無線リソース割当要求の場合、実施例２の機能を使用する。すなわち、ＰＵＣＣＨ生成部１６は、各ＣＢＧ１１０を直接通知ＣＢＧ４０１と間接通知ＣＢＧ４０２に分ける。そして、ＰＵＣＣＨ生成部１６は、直接通知ＣＢＧ４０１に対するＡｃｋ／Ｎａｃｋを表す受信応答を、間接通知ＣＢＧ４０２のＡｃｋ／Ｎａｃｋを表すように無線リソース２１０と無線リソース２２０の一部とを受信応答に割り当てる。この場合、ＰＵＣＣＨ生成部１６は、同時送信でない場合に受信応答を送信するときよりも高い送信電力密度を設定する。【０２４０】
また、低優先度の無線リソース割当要求の場合、ＰＵＣＣＨ生成部１６は、実施例１の機能を使用する。すなわち、ＰＵＣＣＨ生成部１６は、各ＣＢＧ１１０のＡｃｋ／Ｎａｃｋを表す受信応答を無線リソース２１０と無線リソース２２０の一部とを受信応答に割り当てる。この場合、ＰＵＣＣＨ生成部１６は、同時送信でない場合に受信応答を送信するときと同等の送信電力密度を設定する。【０２４１】
以上に説明したように、本実施例に係る端末装置は、無線リソース割当要求の種類に応じて無線リソースの割り当て方法を変更する。これにより、Ａｃｋ／Ｎａｃｋのフィードバック情報や無線リソース割当要求等を含む情報を効率的に送信することができる。
【実施例１１】
【０２４２】
次に、実施例１１について説明する。本実施例に係る端末装置は、送信電力に応じて無線リソース割当要求及び受信応答を送信する方法を切り替える。図２８は、実施例１１に係る端末装置のブロック図である。以下の説明では、各実施例と同様の各部の機能については説明を省略する。【０２４３】
本実施例に係る端末装置１は、伝搬チャネル推定部３１及び余剰電力算出部３２を有する。伝搬チャネル推定部３１は、基地局装置２から送信された信号の振幅から受信電力を推定する。そして、伝搬チャネル推定部３１は、受信電力の情報を余剰電力算出部３２へ出力する。【０２４４】
余剰電力算出部３２は、受信電力の情報を伝搬チャネル推定部３１から取得する。そして、余剰電力算出部３２は、基地局装置２が用いた送信電力から受信電力を減算し、伝搬損失を算出する。次に、余剰電力算出部３２は、Ａｃｋ／Ｎａｃｋに対して保証する信頼度を達成するために用いる送信電力を余剰電力から算出する。そして、余剰電力算出部３２は、Ａｃｋ／Ｎａｃｋに対して保証する信頼度を達成するために用いる送信電力の情報をＰＵＳＣＨ生成部１７に通知する。【０２４５】
ＰＵＳＣＨ生成部１７は、Ａｃｋ／Ｎａｃｋに対して保証する信頼度を達成するために用いる送信電力の情報を余剰電力算出部３２から取得する。そして、ＰＵＳＣＨ生成部１７は、Ａｃｋ／Ｎａｃｋに対して保証する信頼度を達成するために用いる送信電力の情報を定期的に基地局装置２へ送信する。【０２４６】
ＰＵＣＣＨ生成部１６は、送信電力に応じて無線リソース割当要求及び受信応答の送信に実施例１〜７の何れの方法を用いるかを決定する。そして、ＰＵＣＣＨ生成部１６は、決定した方法用いて無線リソース割当要求及び受信応答を送信する。【０２４７】
本実施例に係る基地局装置２も図８のブロック図で表される。上り信号ベースバンド処理部２５は、Ａｃｋ／Ｎａｃｋに対して保証する信頼度を達成するために用いる送信電力の情報を端末装置１から受信する。【０２４８】
そして、上り信号ベースバンド処理部２５は、受信した送信電力の情報に応じて、端末装置１が使用する無線リソース割当要求及び受信応答の送信の方法を特定する。そして、上り信号ベースバンド処理部２５は、特定した方法を用いて無線リソース割当要求及び受信応答を受信する。【０２４９】
以上に説明したように、本実施例に係る端末装置及び基地局装置は、端末装置の送信電力に応じて無線リソース割当要求及び受信応答の送信の方法を切り替えて送受信を行う。これにより、Ａｃｋ／Ｎａｃｋのフィードバック情報や無線リソース割当要求等を含む情報をより効率的に送信することができる。【０２５０】
以上では、ＣＢＧ１１０を用いたＡｃｋ／Ｎａｃｋのフィードバックの場合について説明したが、同時送信が発生する場合であれば他の方法によるＡｃｋ／Ｎａｃｋのフィードバックであっても、各実施例の機能を用いて情報の効率的な送信を行うことができる。【０２５１】
例えば、図２９に示すように、異なるＴＴＩにおけるそれぞれのＰＤＳＣＨ２０３で送信された信号に対するＡｃｋ／Ｎａｃｋを無線リソース２２１にまとめて同じタイミングで送信する場合にも各実施例の機能を用いることができる。図２９は、異なるＴＴＩにおける信号に対するＡｃｋ／Ｎａｃｋをまとめて同じタイミングで送信する場合の無線リソースの割り当てを表す図である。【０２５２】
この場合も、同時送信時に効率的に信号を送信することが求められる。すなわち、無線リソース２２１と同じタイミングで無線リソース割当要求が発生した場合に、端末装置１は、実施例１〜７の何れかの機能を用いて無線リソース割当要求及び受信応答を送信する。【０２５３】
このほかにも、ＣＡ（Carrier  Aggregation）を用いた通信を行う場合にも、Ｐ（Primary）セルとＳ（Secondary）セルとのそれぞれに対するＡｃｋ／Ｎａｃｋを同じタイミングで送信することが考えられる。【０２５４】
この場合も、同時送信時に効率的に信号を送信することが求められる。すなわち、Ｐセル及びＳセルに対するＡｃｋ／Ｎａｃｋと同じタイミングで無線リソース割当要求が発生した場合に、端末装置１は、実施例１〜７の何れかの機能を用いて無線リソース割当要求及び受信応答を送信する。【０２５５】
（ハードウェア構成）
次に、図３０を参照して、端末装置１のハードウェア構成について説明する。図３０は、各実施例に係る端末装置のハードウェア構成図である。端末装置１は、プロセッサ９０１、主記憶装置９０２、画像表示装置９０３、補助記憶装置９０４及び無線機９０５を有する。【０２５６】
プロセッサ９０１は、主記憶装置９０２、画像表示装置９０３、補助記憶装置９０４及び無線機９０５とバスで接続される。また、無線機９０５は、アンテナに接続される。【０２５７】
画像表示装置９０３は、例えば、液晶ディスプレイなどである。画像表示装置９０３は、基地局装置２から送信されたデータなどを表示し、操作者に提供する。【０２５８】
補助記憶装置９０４は、図１に例示したＰＤＣＣＨ受信処理部１２、ＰＤＳＣＨ受信処理部１３、ＡＣＫ／ＮＡＣＫ生成部１４、ＰＵＣＣＨ生成部１６及びＰＵＳＣＨ生成部１７の機能を実現するためのプログラムを含む各種プログラムを格納する。また、補助記憶装置９０４は、伝搬チャネル推定部３１及び余剰電力算出部３２の機能を実現するためのプログラムを含む各種プログラムを格納する。【０２５９】
プロセッサ９０１は、補助記憶装置９０４に格納された各種プログラムを読み出し、主記憶装置９０２上に展開して実行する。これにより、プロセッサ９０１は、図１に例示したＰＤＣＣＨ受信処理部１２、ＰＤＳＣＨ受信処理部１３、ＡＣＫ／ＮＡＣＫ生成部１４、ＰＵＣＣＨ生成部１６及びＰＵＳＣＨ生成部１７の機能を実現する。また、プロセッサ９０１は、伝搬チャネル推定部３１及び余剰電力算出部３２の機能を実現するためのプログラムを含む各種プログラムを格納する。【０２６０】
無線機９０５は、無線部１１の機能を実現する。無線機９０５は、アンテナを介して基地局装置２と無線通信を行う。【０２６１】
次に、図３１を参照して、基地局装置２のハードウェア構成について説明する。図３１は、各実施例に係る基地局装置のハードウェア構成図である。基地局装置２は、プロセッサ９１１、主記憶装置９１２、ネットワークインタフェース９１３、補助記憶装置９１４及び無線機９１５を有する。【０２６２】
プロセッサ９１１は、主記憶装置９１２、ネットワークインタフェース９１３、補助記憶装置９１４及び無線機９１５とバスで接続される。また、無線機９１５は、アンテナに接続される。【０２６３】
ネットワークインタフェース９１３は、上位装置との通信で用いるインタフェースである。主記憶装置９１２は、図８に例示したバッファ２２の機能を実現する。【０２６４】
補助記憶装置９１４は、図８に例示したＰＵＣＣＨリソース管理部２１、スケジューラ２３、下り信号ベースバンド処理部２４及び上り信号ベースバンド処理部２５の機能を実現するためのプログラムを含む各種プログラムを格納する。【０２６５】
プロセッサ９１１、補助記憶装置９１４に格納された各種プログラムを読み出し、主記憶装置９１２上に展開して実行する。これにより、プロセッサ９１１は、図８に例示したＰＵＣＣＨリソース管理部２１、スケジューラ２３、下り信号ベースバンド処理部２４及び上り信号ベースバンド処理部２５の機能を実現する。【０２６６】
無線機９１５は、無線部２６の機能を実現する。無線機９１５は、アンテナを介して端末装置１と無線通信を行う。
【符号の説明】
【０２６７】
１  端末装置
２  基地局装置
１１  無線部
１２  ＰＤＣＣＨ受信処理部
１３  ＰＤＳＣＨ受信処理部
１４  ＡＣＫ／ＮＡＣＫ生成部
１５  ＳＲ生成部
１６  ＰＵＣＣＨ生成部
１７  ＰＵＳＣＨ生成部
１８  バッファ
２１  ＰＵＣＣＨリソース管理部
２２  バッファ
２３  スケジューラ
２４  下り信号ベースバンド処理部
２５  上り信号ベースバンド処理部
２６  無線部
１８１  第１バッファ
１８２  第２バッファ
【図１】
2018198351.tif 000003
【図２】
2018198351.tif 000004
【図３】
2018198351.tif 000005
【図４】
2018198351.tif 000006
【図５】
2018198351.tif 000007
【図６】
2018198351.tif 000008
【図７】
2018198351.tif 000009
【図８】
2018198351.tif 000010
【図９】
2018198351.tif 000011
【図１０】
2018198351.tif 000012
【図１１】
2018198351.tif 000013
【図１２】
2018198351.tif 000014
【図１３】
2018198351.tif 000015
【図１４】
2018198351.tif 000016
【図１５】
2018198351.tif 000017
【図１６】
2018198351.tif 000018
【図１７】
2018198351.tif 000019
【図１８】
2018198351.tif 000020
【図１９】
2018198351.tif 000021
【図２０】
2018198351.tif 000022
【図２１】
2018198351.tif 000023
【図２２】
2018198351.tif 000024
【図２３】
2018198351.tif 000025
【図２４】
2018198351.tif 000026
【図２５】
2018198351.tif 000027
【図２６】
2018198351.tif 000028
【図２７】
2018198351.tif 000029
【図２８】
2018198351.tif 000030
【図２９】
2018198351.tif 000031
【図３０】
2018198351.tif 000032
【図３１】
2018198351.tif 000033
【国際調査報告】
2018198351.tif 000034
2018198351.tif 000035
2018198351.tif 000036
2018198351.tif 000037